(57)【要約】【課題】  フリッカーの発生のような画質の劣化を抑制しながら消費電力が低減され、発熱を抑制された液晶表示装置を提供する。【解決手段】  液晶パネル４を制御する液晶制御部５を具備する液晶表示装置を用いる。液晶制御部５は、入力画像データにおける画素ごとの階調と基準階調とを比較する画像判定回路１１と、その比較結果に基づいて、当該画素を含む1フレーム未満の複数の画素ごとに、その入力画像データを液晶パネル４で表示するときの極性の反転駆動方式を選択反転駆動方式として決定する方式決定部１２とを備える。ここで、その基準階調は、液晶パネル４における画質が劣化しやすい階調と画質が劣化しにくい階調との境界の階調に設定されることが好ましい。【選択図】      図１
2006126475.tif 000002
【特許請求の範囲】
【請求項１】
液晶パネルを制御する液晶制御部を具備し、
前記液晶制御部は、
前記入力画像データにおける画素ごとの階調と基準階調とを比較する画像判定部と、
前記比較結果に基づいて、当該画素を含む1フレーム未満の複数の画素ごとに、前記入力画像データを液晶パネルで表示するときの極性の反転駆動方式を選択反転駆動方式として決定する方式決定部と
を備える
液晶表示装置。
【請求項２】
請求項１に記載の液晶表示装置において、
前記基準階調は、前記液晶パネルにおける画質が劣化しやすい階調と劣化しにくい階調との境界の階調に設定される
液晶表示装置。
【請求項３】
請求項２に記載の液晶表示装置において、
前記画質の劣化は、フリッカーの発生である
液晶表示装置。
【請求項４】
請求項１乃至３のいずれか一項に記載の液晶表示装置において、
前記複数の画素は、基準階調の階調電圧未満での反転駆動方式における第１反転周期分の第１水平ライン数と、基準階調の階調電圧以上での反転駆動方式における第２反転周期分の第２水平ライン数との公倍数の水平ライン分の画素である
液晶表示装置。
【請求項５】
請求項１乃至３のいずれか一項に記載の液晶表示装置において、
前記方式決定部は、前記複数の画素において前記基準階調の階調電圧未満の画素がｎ（ｎは自然数）個以上の場合、前記入力画像データの前記複数の画素における反転駆動方式をドット反転駆動方式とし、
前記ｎは自然数で、前記複数の画素の数よりも小さい
液晶表示装置。
【請求項６】
請求項５に記載の液晶表示装置において、
前記方式決定部は、前記複数の画素において前記基準階調の階調電圧未満の画素がｎ個未満の場合、前記入力画像データの前記複数の画素における反転駆動方式を２Ｈ又はそれ以上のドット反転駆動方式とする
液晶表示装置。
【請求項７】
請求項１乃至６のいずれか一項に記載の液晶表示装置において、
前記選択反転駆動方式で前記入力画像データを表示するように液晶パネルのデータ線への出力を制御するデータ線駆動部をさらに具備し、
前記液晶制御部は、前記選択反転駆動方式を示す選択信号を前記データ線駆動部へ出力し、
前記データ線駆動部は、前記選択信号に基づいて、前記選択反転駆動方式における極性の反転のタイミングで、前記データ線への出力の極性を反転させる反転スイッチ部を含む
液晶表示装置。
【請求項８】
請求項７に記載の液晶表示装置において、
前記データ線駆動部は、
前記入力画像データの経路として、第１系統の回路及び第２系統の回路のいずれか一方を選択系統回路として選択する第１スイッチ部と、
前記第１系統の回路において前記入力画像データを、一方の極性としての第１電圧レベルにシフトさせる第１レベルシフト部と、
前記第２系統の回路において前記入力画像データを、他方の極性としての前記第１電圧レベルよりも低圧の第２電圧レベルにシフトさせる第２レベルシフト部と、
前記選択系統回路からの出力を、前記入力画像データに対応する出力端子に出力するように切り換える第２スイッチ部と
を更に含み、前記選択信号に基づいて、前記選択反転駆動方式における極性の反転のタイミングで、前記第１スイッチ部及び前記第２スイッチ部の切り替えを制御する
液晶表示装置。
【請求項９】
請求項１乃至８のいずれか一項に記載の液晶表示装置において、
前記方式決定部は、２×ｍ（ｍは自然数）フレーム毎に、前記極性の反転駆動方式を決定する
液晶表示装置。
【請求項１０】
（ａ）入力画像データにおける画素ごとの階調と基準階調とを比較するステップと、
（ｂ）前記比較結果に基づいて、当該画素を含む1フレーム未満の複数の画素ごとに、前記入力画像データを液晶パネルで表示するときの反転駆動方式を選択反転駆動方式として決定するステップと、
（ｃ）前記選択反転駆動方式で前記入力画像データを表示するステップと
を具備する
液晶表示装置の駆動方法。
【請求項１１】
請求項１０に記載の液晶表示装置の駆動方法において、
前記（ｂ）ステップは、
（ｂ１）前記選択反転駆動方式を示す選択信号を出力するステップを備え、
前記（ｃ）ステップは、
（ｃ１）前記選択信号に基づいて、前記選択反転駆動方式における極性の反転のタイミングで、前記入力画像データを出力するときの極性を反転させるステップを備える
液晶表示装置の駆動方法。
【請求項１２】
請求項１１に記載の液晶表示装置の駆動方法において、
前記（ｃ１）ステップは、
（ｃ１１）前記選択信号に基づいて、前記入力画像データを、一方の極性としての第１電圧レベル及び他方の極性としての前記第１電圧レベルよりも低圧の第２電圧レベルのいずれかにシフトさせるステップと、
（ｃ１２）シフトされた前記入力画像データを、対応する出力端子に出力するステップと
を具備する
液晶表示装置の駆動方法。
【請求項１３】
請求項１０乃至１２のいずれか一項に記載の液晶表示装置の駆動方法において、
前記基準階調は、前記液晶パネルにおけるフリッカーの見え易い階調と見え難い階調との境界の階調に設定される
液晶表示装置の駆動方法。
【請求項１４】
請求項１０乃至１２のいずれか一項に記載の液晶表示装置の駆動方法において、
前記複数の画素は、基準階調の階調電圧未満での反転駆動方式における第１反転周期分の第１水平ライン数と、基準階調の階調電圧以上での反転駆動方式における第２反転周期分の第２水平ライン数との公倍数の水平ライン分の画素である
液晶表示装置の駆動方法。
【請求項１５】
請求項１０乃至１２のいずれか一項に記載の液晶表示装置の駆動方法において、
前記方式決定部は、前記複数の画素において前記基準階調の階調電圧未満の画素がｎ（ｎは自然数）個以上の場合、前記入力画像データの前記複数の画素における反転駆動方式をドット反転駆動方式とし、
前記ｎは自然数で、前記複数の画素の数よりも小さい
液晶表示装置の駆動方法。
【請求項１６】
請求項１５に記載の液晶表示装置の駆動方法において、
前記方式決定部は、前記複数の画素において前記基準階調の階調電圧未満の画素がｎ（ｎは自然数）個未満の場合、前記入力画像データの前記複数の画素における反転駆動方式を２Ｈ又はそれ以上のドット反転駆動方式とする
液晶表示装置の駆動方法。
【請求項１７】
請求項１０乃至１６のいずれか一項に記載の液晶表示装置の駆動方法において、
前記（ｂ）ステップは、
（ｂ１）前記比較結果に基づいて、２×ｍ（ｍは自然数）フレーム毎に、前記選択反転駆動方式を決定するステップを備え、
前記（ｃ）ステップは、
（ｃ１）前記２×ｍフレーム毎に、前記選択反転駆動方式で前記入力画像データを表示するステップを備える
液晶表示装置の駆動方法。
【発明の詳細な説明】
【技術分野】
【０００１】
本発明は、液晶表示装置及び液晶表示装置の駆動方法に関する。
【背景技術】
【０００２】
近年、ＴＶ用の液晶表示装置として、３０インチ以上のような大型の液晶パネルの開発が行われている。また、液晶表示装置のコスト削減の方法として、一つのデータドライバの出力端子数を増加させて、データドライバの数を削減するこが考えられている。
【０００３】
関連する技術として、特開２００３−３３７５７７号公報に、液晶表示装置及びその駆動方法の技術が開示されている。この液晶表示装置の駆動方法は、第１段階〜第３段階を含む。第１段階は、隣接する画素の設定極性が互いに反対である第１ドット反転方式で液晶表示装置を駆動する。第２段階は、連続する所定個数の画素の中で隣接する２つの同一色画素の階調差が所定の範囲を越えるパターンが全体画素の中で所定の面積以上を占めるかどうかを判断する。第３段階は、前記パターンが前記所定の面積以上を占めれば前記第１ドット反転方式を第２ドット反転方式に転換する。前記第２ドット反転方式は、隣接する２つの画素にそれぞれ連結された隣接する２つのゲート線同士を１組のゲート線とし、ゲート線に設定する極性を組毎に交互に反転させる方式であっても良い。
【０００４】
【特許文献１】特開２００３−３３７５７７号公報
【発明の開示】
【発明が解決しようとする課題】
【０００５】
液晶パネルの大型化に伴う消費電力の増大やデータドライバの出力端子数の増加に伴い、データドライバの発熱量が多くなる。そのため、液晶パネルの駆動方式として、画質が良いけれども消費電力の大きいドット反転駆動方式を採用することが難しくなっている。しかし、反転回数を削減することは、フリッカーの発生のような画質の劣化を引き起こす可能性がある。消費電力及び発熱を低減し、フリッカーの発生を抑制する液晶表示装置及び液晶表示装置の駆動方法が望まれる。
【０００６】
従って、本発明の目的は、画質の劣化を抑制しながら消費電力を低減することが可能な液晶表示装置及び液晶表示装置の駆動方法を提供することにある。
【課題を解決するための手段】
【０００７】
以下に、発明を実施するための最良の形態で使用される番号・符号を用いて、課題を解決するための手段を説明する。これらの番号・符号は、特許請求の範囲の記載と発明を実施するための最良の形態との対応関係を明らかにするために括弧付きで付加されたものである。ただし、それらの番号・符号を、特許請求の範囲に記載されている発明の技術的範囲の解釈に用いてはならない。
【０００８】
従って、上記課題を解決するために、本発明の液晶表示装置は、液晶パネル（４）を制御する液晶制御部（５／５ａ）を具備する。液晶制御部（５／５ａ）は、入力画像データにおける画素ごとの階調と基準階調とを比較する画像判定回路（１１）と、その比較結果に基づいて、当該画素を含む1フレーム未満の複数の画素ごとに、その入力画像データを液晶パネル（４）で表示するときの極性の反転駆動方式を選択反転駆動方式として決定する方式決定部（１２）とを備える。ここで、その基準階調は、液晶パネル（４）における画質が劣化しやすい階調と画質が劣化しにくい階調との境界の階調に設定されることが好ましい。
本発明では、入力画像の階調に基づいて、極性の反転駆動方式を変更する。すなわち、画質の劣化しやすい階調の入力画像データに対しては、画質に影響しない駆動方式を用い、画質の劣化を抑制する。画質の劣化しにくい階調の入力画像データに対しては、消費電力を抑えた駆動方式を用い、消費電力の削減を図る。このようにすることで、全体として、画質の劣化を抑制しながら消費電力を削減することができる。このような動作を１フレーム未満の画素ごとに行うことで、その効果をより大きくすることができる。
【発明の効果】
【０００９】
本発明により、フリッカーの発生のような画質の劣化を抑制しながら消費電力を削減し、発熱を抑えることが可能となる。
【発明を実施するための最良の形態】
【００１０】
以下、本発明の液晶表示装置及び液晶表示装置の駆動方法の実施の形態に関して、添付図面を参照して説明する。
【００１１】
（第１の実施の形態）
まず、本発明の液晶表示装置の第１の実施の形態の構成について説明する。図１は、本発明の液晶表示装置の第１の実施の形態の構成を示すブロック図である。液晶表示装置１は、データドライバ２、ゲートドライバ３、液晶パネル４、ＬＣＤコントローラ５、基準階調電圧発生部６を具備する。
【００１２】
ＬＣＤコントローラ５は、画像描画部７（例示：ＣＰＵ）から入力画像データ２８と表示制御信号２９とを入力される。入力画像データ２８は、各画素の階調データ（ＲＧＢ信号）を含む。表示制御信号２９は、垂直同期信号、水平同期信号、クロック信号、データイネーブル信号を含む。そして、入力画像データ２８と表示制御信号２９とに基づいて、画像データ２１及びデータ側制御信号２２をデータドライバ２へ、ゲート側制御信号２３をゲートドライバ３へそれぞれ出力する。データ側制御信号２２には、通常のデータ側制御信号のほかに、1フレーム未満の複数の画素において２Ｈドット反転駆動方式とするかドット反転駆動方式とするかの制御信号を含んでいる。ゲート側制御信号２３には、通常のゲート側制御信号が含まれる。
【００１３】
ＬＣＤコントローラ５は、画像判定部１１と方式決定部１２とラインメモリ１３とを備える。
画像判定部１１は、入力画像データ２８における画素ごとに、その入力画像データ２８の階調と設定階調とを比較し、入力画像データ２８の階調が設定階調より高いか低いかを判定する。比較結果（判定結果）は方式決定部１２へ出力される。入力画像データ２８は、ラインメモリ１３へ出力される。
【００１４】
方式決定部１２は、比較結果に基づいて、入力画像データを液晶パネル４で表示するときの反転駆動方式を、1フレーム未満の複数の画素ごとに決定する。「1フレーム未満の複数の画素」は、例えば４ライン分の画素のような複数ライン分の画素に例示される。決定方法は、例えば以下のように行う。例えば、液晶パネルがノーマリーホワイトの場合、「1フレーム未満の複数の画素」のうち、所定の数（又は割合）の入力画像データ２８の階調が設定階調より低い（透過率が低い）又は同じ場合には２Ｈドット反転駆動方式とし、高い場合にはドット反転駆動方式とする。一方、液晶パネルがノーマリーブラックの場合、入力画像データ２８の階調が設定階調より高い（透過率が高い）又は同じ場合には２Ｈドット反転駆動方式とし、低い場合にはドット反転駆動方式とする。すなわち、液晶パネルに高い電圧がかかる階調領域の反転回数が少なくなるように決定する。所定の数は、設計により決定されるが、例えば１である。
【００１５】
ラインメモリ１３は、方式決定部１２で判定する複数のライン分に対応する入力画像データ２８を一時的に格納する。例えば、方式決定部１２が４ライン分の画素ごとに判定する場合には、４ライン分格納する。そして、複数のライン分に対応する入力画像データ２８を格納した後、入力画像データ２８を画像データ２１としてデータドライバ１３へ出力する。ラインメモリ１３は、画像データ２１をデータドライバ１３へ出力する際に判定結果を反映したデータ側制御信号とのタイミング調整のために備えられる。
【００１６】
基準階調電圧発生部６は、入力画像データの階調に対応する階調電圧を生成し、データドライバ２へ出力する。
ゲートドライバ３は、ゲート側制御信号２３に基づいて、液晶パネル４の複数のゲート線を制御する。ただし、ＬＣＤコントローラ５と一体に構成されていても良い。その場合、回路面積を小さくすることができる。
データドライバ２は、入力画像データ２１、データ側制御信号２２及び基準階調電圧２４に基づいて、液晶パネル４の複数のデータ線を制御する。ただし、ＬＣＤコントローラ５と一体に構成されていても良い。その場合、回路面積を小さくすることができる。
液晶パネル４は、データドライバ２及びゲートドライバ３により、それぞれ複数のゲート線及び複数のデータ線を制御され、画像を表示する。
【００１７】
ここで、本発明の液晶表示装置及び液晶表示装置の駆動方法の概念を説明する。
画像判定部１１における設定階調について説明する。図２は、本発明の液晶表示装置及び液晶表示装置の駆動方法の概念を示すグラフである。このグラフは、液晶パネル４における液晶の電圧−透過率特性を示す。縦軸は液晶パネルのある画素に印加される電圧を示し、横軸は当該画素における光の透過率を示す。ここでは、ノーマリーホワイトの例を説明する。液晶の電圧−透過率特性は、中間階調付近（図中、約２〜３Ｖ程度）で急激に変化する。しかし、白（０〜約２Ｖ程度）及び黒（約３〜５Ｖ程度）付近では、なだらかに変化する。すなわち、中間階調付近では、少ない電圧変化に対しても透過率が大きく変動するため、フリッカーが見えやすくなる。一方、白及び黒付近では、少ない電圧変化に対して透過率はほとんど変わらずフリッカーは見えにくい。また、消費電力及びデータドライバ２の発熱を引き起こす階調の電圧は、高電圧で充放電を必要とする黒付近である。
【００１８】
以上のことから、本発明の液晶表示装置及び液晶表示装置の駆動方法では、高電圧で充放電が必要であり、フリッカーの見えにくい黒付近の階調領域において極性反転回数の少ない２Ｈドット反転駆動方式とする。そして、フリッカーの見えやすい中間階調領域以下においてドット反転駆動方式を行うこととする。ドット反転駆動方式と２Ｈドット反転駆動方式を切り替える階調を、図２に示すように反転切替階調とする。この反転切替階調が、画像判定回路１１における設定階調である。設定階調は、液晶表示装置ごとに設計で決定される。
【００１９】
これにより、本発明では、フリッカーのような画質の劣化を抑制しながら、消費電力を低減することが可能となる。消費電力を低減できることは、データドライバ２のような各部の発熱を抑制でき好ましい。
【００２０】
なお、フリッカーの見えにくい白付近の階調領域においては、画質の良いドット反転方式を用いても良いし、消費電力の少ない２Ｈドット反転駆動方式を用いても良い。すなわち、複数の設定階調を設けて、複数の駆動方式を利用することも可能である。その場合、画質の劣化の防止しながら、消費電力の抑制を行う制御を、より詳細かつ的確に行うことができる。
【００２１】
また、ここでは、２Ｈドット反転駆動方式とドット反転駆動方式とを用いている。しかし、他の方式、例えば３Ｈドット反転駆動方式とドット反転駆動方式を用いることも可能である。３Ｈドット反転駆動方式、又はそれ以上のドット反転駆動方式（例示：４Ｈドット反転駆動方式）を用いる場合、消費電力をより低減でき、より好ましい。
【００２２】
なお、ノーマリーブラックの場合には、上記の場合と白と黒との関係が逆になる。すなわち、黒（０〜約２Ｖ程度）及び白（約３〜５Ｖ程度）となり、高電圧で充放電を必要とするのは白付近である。
【００２３】
次に、本発明の液晶表示装置の第１の実施の形態の動作（液晶表示装置の駆動方法）について説明する。
図３は、本発明の液晶表示装置の第１の実施の形態の動作を示すフロー図である。ここでは、液晶パネルがノーマリーホワイトであり、水平画素の４ライン分（４ゲートライン）ごとに反転駆動方式を決定する場合について説明する。
【００２４】
（１）ステップＳ０１：
画像描画部７から送信された入力画像データ２８は、画像判定部１１において、１画素分ごとに、その階調が設定階調以上であるか否かが判定される。
（２）ステップＳ０２：
４ライン分の入力画像データ２８の中にその階調が設定階調以上の画像データが所定の画素数以上あるか否かが方式決定部１２により判定される。
（３）ステップＳ０３：
４ライン分の入力画像データ２８の中に設定階調以上の階調を有する画像データが所定の画素数以上ある場合、その４ライン分の入力画像データ２８の駆動方式が、方式決定部１２によりドット反転駆動方式に決定される。
（４）ステップＳ０４：
４ライン分の入力画像データ２８の中に設定階調以上の階調を有する画像データが所定の画素数以上ない場合、その４ライン分の入力画像データ２８の駆動方式は、方式決定部１２により２Ｈドット反転駆動方式に決定される。
（５）ステップＳ０５：
画像判定部１１において判定された入力画像データ２８は、順次、ラインメモリ１３に格納される。ラインメモリ１３は、駆動方式の判定の単位である液晶パネル４の水平画素数分の４ライン分ある。
（６）ステップＳ０６：
ラインメモリ１３に格納された４ライン分の入力画像データ２８は、駆動方式の判定後、画像データ２１としてデータドライバ２へ順次出力される。同時に、方式決定部１２が決定した駆動方式を示す制御信号を含むデータ側制御信号は、ＬＣＤコントローラ５からデータドライバ２へ出力される。ゲート側制御信号は、ＬＣＤコントローラ５からゲートドライバ３へ出力される。
（７）ステップＳ０７：
データ側制御信号に基づくデータドライバ２からの出力信号、及び、ゲート側制御信号に基づくゲートドライバ３からの出力信号により、液晶パネル４が駆動される。
【００２５】
このような動作により、液晶表示装置を動作させることができる。
【００２６】
図４は、本発明における液晶パネル４に印加される電圧極性を示す概念図である。液晶パネル４内の各四角は、画素を示す。四角内の「＋」又は「−」は、その画素における電圧極性を示す。左側の液晶パネル４は奇数フレームを、右側の液晶パネル４は偶数フレームをそれぞれ示す。
【００２７】
４ライン分の入力画像データ２８の中にその階調が設定階調以上の画像データが所定の画素数以上ない領域（図中、パターンを施した部分）は、２Ｈドット反転駆動方式により極性反転が行われている。一方、所定の画素数以上ある領域（図中、パターンを施していない部分）は、ドット反転駆動方式により極性反転が行われている。すなわち、４本の垂直ライン単位でドット反転駆動方式と２Ｈドット反転駆動方式とを切り替えた駆動方式となっている。
【００２８】
ただし、画像判定部１１及び方式決定部１２において、極性反転方式を決定して切り替えるのは、２フレーム毎とすることが好ましい。すなわち、図４に示す一つの偶数フレームと一つの奇数フレームとを一組として、各組ごとに極性反転方式を決定して切り替えることとする。これは、毎フレーム、極性反転方式がドット反転と２Ｈドット反転とで切り替わってしまった場合、液晶パネルに常に直流電圧が印加される可能性があり、焼き付きになる恐れがあるためである。
【００２９】
ここでは、水平画素の４ライン分（４ゲートライン）ごとに反転駆動方式を決定する場合について説明しているが、水平画素のライン数（ゲートライン数）はこの例に限定されない。すなわち、ここでは、２ライン周期のドット反転駆動方式と、４ライン周期の２Ｈドット反転駆動方式との間で駆動方式の決定、変更を行っている。したがって、２ライン周期と４ライン周期との公倍数である４ｍライン周期（ｍは自然数）で駆動方式の決定、変更を行うことが好ましい。本実施の形態のようなｍ＝１となる最小公倍数の４ライン周期で駆動方式の決定、変更を行うことは、画質の劣化をより良く抑えられ、より好ましい。
【００３０】
このような本発明の構成及び動作により、フリッカーのような画質の劣化を抑制しながら、消費電力を低減し、データドライバ２のような各部の発熱を抑制することが可能となる。
【００３１】
ここでは、すべての画素について、その階調に基づいて、極性を反転する駆動方式を決定しているが、本発明がその例に限定されるものではない。例えば、ＲＧＢ信号のうちのＧ信号の画素において、本発明の駆動方法を適用し、残りのＲ信号及びＢ信号では、２Ｈドット反転駆動方式にしても良い。Ｇ信号は、輝度の情報の多くを含んでいるので、Ｇ信号について本発明を適用すれば、フリッカーが見えにくくなる。この場合、すべての画素について本発明を適用する場合に比較して、制御が容易になるとともに、残りのＲ信号及びＢ信号で２Ｈドット反転駆動方式を用いることにより、消費電力及び発熱をより低減することができる。
【００３２】
本発明の液晶表示装置におけるゲートドライバ２は、例えば、特許第３０５６０８５号に開示されたマトリックス型液晶表示装置の駆動回路を用いることができる。
【００３３】
図５は、本発明の液晶表示装置におけるゲートドライバ２の詳細を示すブロック図である。本発明のゲートドライバ２は、液晶用駆動回路Ａと、スイッチ回路２０４、２０８とを備える。
液晶用駆動回路Ａは、印加された画像データに応じ、供給された液晶駆動電圧の１／２の電圧または液晶共通電極の電圧Ｖｃｏｍを基準として、正及び負の電圧を出力する。シフトレジスタ回路２０１と、データレジスタ回路２０２と、ラッチ回路２０３と、レベルシフト回路２０５と、デコーダ・階調電圧選択回路２０６と、演算増幅器（オペアンプ）２０７とを含んでおり、これらの回路構成は、２系統からなっている。なお、本発明では、液晶共通電極の電圧Ｖｃｏｍを基準として、この電圧値以上の電圧を正の電圧として印加し、この電圧値以下の電圧を負の電圧とし、正負の振幅関係を保って印加することにより交流駆動している。
【００３４】
データレジスタ回路２０２は、シフトレジスタ回路２０１の各段の出力に応答して、制御されるｎ（自然数）ビットの画像データ２１（Ｄ００〜Ｄｘｘ）を並列にラッチする。データレジスタ回路２１９とデータレジスタ回路２２０との二つの系統を有する。その二つの系統の組合せでｍ個設けられている。
【００３５】
ラッチ回路２０３は、データレジスタ回路２０２からのｎビットのデータ（画像データ２１：Ｄ００〜Ｄｘｘ）を、ラッチ信号（以下、「ＳＴＢ信号」）に応答して、一括でラッチする。データレジスタ回路２１９に接続するラッチ回路２２１とデータレジスタ回路２２０に接続するラッチ回路２２２との二つの系統を有する。その二つの系統の組合せでｍ個設けられている。
【００３６】
レベルシフト回路２０５は、ラッチ回路２０３からのｎビットのデータを異なる電圧値の液晶駆動電圧に昇圧する。高圧側のレベルシフト回路２０９と低圧側のレベルシフト回路２１０との二つの系統を有する。その二つの系統の組合せでｍ個設けられている。本実施の形態では、高圧側のレベルシフト回路２０９は、例えば３．３Ｖを１０Ｖに昇圧し、低圧側のレベルシフト回路２１０は、例えば３．３Ｖを５Ｖに昇圧するように設定されている。ただし、この昇圧率に限定されるものではない。レベルシフト回路２０５は、従来知られた回路を用いることができる。
【００３７】
スイッチ回路２０４は、タイミング制御回路２１５からの制御信号に基いて、一つの系統のラッチ回路２２１の出力を、高圧側レベルシフト回路２０９及び低圧側のレベルシフト回路２１０のうちのいずれか一方に選択的に接続する。同時に、他の一つの系統のラッチ回路２２２の出力を、高圧側レベルシフト回路２０９及び低圧側のレベルシフト回路２１０のうちの他方に選択的に接続する。
【００３８】
図６は、各回路のスイッチ制御の具体例を示すブロック図である。スイッチ回路２０４は、具体的には、以下のようにスイッチ制御する。すなわち、図６（ａ）に示すように、極性信号（以下、「ＰＯＬ信号」）がハイレベル（Ｈ）（ＳＴＢ信号＝Ｌ）のとき、接点２０４１でラッチ回路２２１を高圧側レベルシフト回路２０９に、接点２０４２でラッチ回路２２２を低圧側のレベルシフト回路２１０にそれぞれ接続する。一方、図６（ｂ）に示すように、ＰＯＬ信号がローレベル（Ｌ）（ＳＴＢ信号＝Ｌ）のとき、図６（ａ）とは逆に、接点２０４４でラッチ回路２２１を低圧側レベルシフト回路２１０に、接点２０４３でラッチ回路２２２を高圧側のレベルシフト回路２０９にそれぞれ接続する。ただし、ＰＯＬ信号、ＳＴＢ信号は、ＬＣＤコントローラ５からタイミング制御回路２１５へ出力されるデータ側制御信号に含まれる。
【００３９】
階調電圧発生回路６は、高圧側階調電圧発生回路２１７と低圧側階調電圧発生回路２１８との二つの系統の回路を含む。各階調電圧発生回路２１７及び２１８は、それぞれ外部入力Ｖ０、Ｖ１、Ｖ２、Ｖ３、Ｖ４及び外部入力Ｖ５、Ｖ６、Ｖ７、Ｖ８、Ｖ９（基準階調電圧２４）に基づいて、液晶に階調表示する階調電圧を２ｎ値に微調整する。また、各階調電圧発生回路２１７及び２１８は、外部入力Ｖ０、Ｖ１、Ｖ２、Ｖ３、Ｖ４及び外部入力Ｖ５、Ｖ６、Ｖ７、Ｖ８、Ｖ９に基づいて、抵抗分割方式により液晶のγ曲線に合うような抵抗比に階調電圧を微調整する。
【００４０】
デコーダ・階調電圧選択回路２０６は、高圧側デコーダ・階調電圧選択回路２１１と低圧側デコーダ・階調電圧選択回路２１２とを含む。各階調電圧発生回路２１７、２１８から出力される階調電圧の２n値を参照電圧Ｓとして入力し、これらをデコーダ部で２n値の階調信号（例示：ｎ＝６ビットの６４階調信号）に相当する電圧をデコードし、その内から１値を選択しオペアンプＯＰで増幅し、後段のオペアンプ２０７に出力する。
【００４１】
オペアンプ２０７は、高圧側オペアンプ２１３と低圧側オペアンプ２１４との二つの系統を有する。その二つの系統の組合せでｍ個設けられている。高圧側オペアンプ２１３と低圧側オペアンプ２１４は、増幅出力する電圧を高圧側と低圧側とに電圧分担しており、高圧側オペアンプ２１３は、例えば５Ｖ〜１０Ｖの入力電圧が入力され、５Ｖ〜１０Ｖの範囲に増幅して出力する。また、低圧側オペアンプ１４は、例えば０Ｖ〜５Ｖの入力電圧が入力され、０Ｖ〜５Ｖの範囲に増幅して出力する。
【００４２】
スイッチ回路２０８は、液晶用駆動回路Ａの２系統回路の２端子で共用し、各端子に時系列に正および負の電圧を出力するとともに、２端子間で互いに正負の振幅関係を保つ電圧を出力するようにスイッチ制御する。スイッチ回路２０８は、共通端子スイッチ２０８ａを有する。共通端子スイッチ２０８ａは、液晶用駆動回路Ａの全出力端子Ｙ1〜Ｙｍを共通に接続し、全出力端子Ｙ1〜Ｙｍを液晶駆動電圧の１／２の電圧（１／２ＶＬＣＤ（例示：５Ｖ））にする。液晶に直接つながるスイッチ回路２０８の耐圧は、液晶のしきい電圧値の２倍以上に設定されている。
【００４３】
図６を参照して、スイッチ回路２０８は、具体的には、以下のようにスイッチ制御する。すなわち、図６（ａ）に示すように、ＰＯＬ信号がハイレベル（Ｈ）（ＳＴＢ信号＝Ｌ）のとき、接点２０８１で高圧側オペアンプ２１３を出力端子Ｙ１に、接点２０８２で低圧側オペアンプ２１４を出力端子Ｙ２にそれぞれ接続する。一方、図６（ｂ）に示すように、ＰＯＬ信号がローレベル（Ｌ）（ＳＴＢ信号＝Ｌ）のとき、図６（ａ）とは逆に、接点２０８４で高圧側オペアンプ２１３を出力端子Ｙ２に、接点２０８３で低圧側オペアンプ２１４を出力端子Ｙ１それぞれ接続する。更に、図６（ｃ）に示すように、ＳＴＢ信号がハイレベル（Ｈ）のとき、ＰＯＬ信号の状態に関わらず、共通端子スイッチ２０８ａ（接点２０８５、２０８６、２０８７）がオンとなり、液晶用駆動回路Ａの全出力端子Ｙ1〜Ｙｍが共通に接続され、１／２ＶＬＣＤにされる。
【００４４】
次に、各回路の電源電圧を以下に示す。図５において、データレジスタ回路２１９，２２０、ラッチ回路２２１，２２２、スイッチ回路２０４の電圧は０Ｖ−３．３Ｖの範囲に制限され、高圧側レベルシフト回路２０９は入力電圧０Ｖ−３．３Ｖを出力電圧５Ｖ−１０Ｖに昇圧し、低圧側レベルシフト回路２１０は入力電圧０Ｖ−３．３Ｖを出力電圧０Ｖ−５Ｖに昇圧する。また高圧側デコーダ・階調電圧選択回路２１１およびオペアンプ２１３の電圧は５Ｖ−１０Ｖの範囲に制限され、低圧側デコーダ・階調電圧選択回路２１２およびオペアンプ２１４の電圧は０Ｖ−５Ｖの範囲に制限され、スイッチ回路２０８の電圧は０Ｖ−１０Ｖの範囲に制限される（液晶共通電極の電圧Ｖｃｏｍ＝５Ｖ）。また、高圧側及び低圧側階調電圧発生回路２１７、２１８に外部入力として印加される電圧は、Ｖ０＝１０Ｖ、Ｖ４＝５．５Ｖ、Ｖ５＝４．５Ｖ、Ｖ９＝０Ｖであり、Ｖ１、Ｖ２、Ｖ３、Ｖ６、Ｖ７、Ｖ８はオープン状態となっている。
【００４５】
次に、図５のゲートドライバ２を用いた本発明の液晶表示装置における第１の実施の形態の動作（図３におけるステップＳ０７）について図１、図５、図６、図７を参照して、画像データが６ビット（６４階調）の場合を例に説明する。
【００４６】
ただし、図７は、図５に示す各回路のタイミングチャートである。図７（ａ）はＳＴＢ信号、（ｂ）はＰＯＬ信号、（ｃ）はスイッチ回路２０４の接点２０４１、２０４２のオン／オフ、（ｄ）はスイッチ回路２０４の接点２０４３、２０４４のオン／オフ、（ｅ）はスイッチ回路２０８の接点２０８１、２０８２のオン／オフ、（ｆ）はスイッチ回路２０８の接点２０８３、２０８４のオン／オフ、（ｇ）は出力端子Ｙ１の出力信号、（ｈ）は出力端子Ｙ２の出力信号をそれぞれ示す。
【００４７】
タイミング制御回路２１５に入力されるＰＯＬ信号とＳＴＢ信号とによって、スイッチ回路２０４およびスイッチ回路２０８が図６（ａ）、（ｂ）のように交互に切り換わる。それにより、液晶用駆動回路Ａの二つの系統の回路のどちら側に６４階調の画像データを経由するかによって、液晶電極に対し正、負の電圧が交互に印加される。
【００４８】
また図６（ｃ）及び図７に示すように、タイミング制御回路２１５に入力されるＳＴＢ信号がハイレベル（Ｈ）の期間では、スイッチ回路２０８のスイッチ制御によって接点２０８１、２０８２、２０８３、２０８４がオフし、接点２０８５、２０８６、２０８７がオンして、液晶用駆動回路Ａの全出力端子Ｙ1〜Ｙｍが液晶駆動電圧の１／２の電圧（例示：５Ｖ）にリセットされる。
【００４９】
また、ＰＯＬ信号の周期を１ライン周期にすれば、液晶パネル４の当該ラインがドット反転駆動方式で駆動される。ＰＯＬ信号の周期を２ライン周期にすれば、液晶パネル４の当該ラインが２Ｈドット反転駆動方式で駆動される。
【００５０】
動作について更に詳細に説明する。液晶用駆動回路Ａの出力端子Ｙ１に接続されるデータレジスタ回路２１９は常時ローレベル（Ｌ）のデータ（階調が一定の画像データ）を保持し、液晶用駆動回路Ａの出力端子Ｙ２に接続されるデータレジスタ回路２２０は常時ハイレベル（Ｈ）のデータ（階調が一定の画像データ）を保持しているとする。
【００５１】
（Ａ）ドット反転駆動方式の場合
図３のステップＳ０２において４ライン分の入力画像データ２８の中にその階調が設定階調以上の画像データが所定の画素数以上あると判断され、駆動方式がドット反転駆動方式と決定された場合、時刻ｔ＝ｔ１〜ｔ５のような動作になる。
【００５２】
（１）時刻ｔ＝ｔ１〜ｔ３
タイミング制御回路２１５に入力されるＰＯＬ信号（図７（ｂ））がハイレベル（Ｈ）のとき（時刻ｔ＝ｔ１）、ＳＴＢ信号（図７（ａ））のハイレベル（Ｈ）によって、スイッチ回路２０８の接点２０８１、２０８２（図７（ｅ））、２０８３、２０８４（図７（ｆ））がオフし、接点２０８５、２０８６、２０８７（（図７に図に図示されず、図６（ｃ）参照）がオンする。
【００５３】
このとき、二つの系統のうちの一方の系統において、スイッチ回路２０４の接点２０４１（図７（ｃ））がオンし、接点２０４３（図７（ｄ））がオフする。それにより、データレジスタ回路２１９の保持されたローレベル（Ｌ）のデータは、ラッチ回路２２１からレベルシフト回路２０９へスイッチ回路２０４を介して転送される。デコーダ・階調電圧選択回路２１１によって階調電圧１０Ｖが選択され、オペアンプ２１３によって電流増幅される。そして、ＳＴＢ信号（図７（ａ））がローレベルに切替わったとき（時刻ｔ＝ｔ２）、スイッチ回路２０８の接点２０８１（図７（ｅ））がオンし、接点２０８５、２０８６がオフする。それにより、スイッチ回路２０８を介して液晶用駆動回路Ａの出力端子Ｙ１（図７（ｇ））に画像データが出力される。そして、液晶パネル４に所定の電圧値の階調電圧１０Ｖ（極性がプラス「＋」）が印加される。
【００５４】
一方、二つの系統のうちの他方の系統において、スイッチ回路２０４の接点２０４２（図７（ｃ））がオンし、接点２０４４（図７（ｄ））がオフする。それにより、データレジスタ回路２２０の保持されたハイレベル（Ｈ）のデータは、ラッチ回路２２２からレベルシフト回路２１０へスイッチ回路２０４を介して転送される。デコーダ・階調電圧選択回路２１２によって階調電圧４．５Ｖが選択され、オペアンプ２１４によって電流増幅される。そして、ＳＴＢ信号（図７（ａ））がローレベルに切替わったとき（時刻ｔ＝ｔ２）、スイッチ回路２０８の接点２０８２（図７（ｅ））がオンし、接点２０８５、２０８６がオフする。それにより、スイッチ回路２０８を介して液晶用駆動回路Ａの出力端子Ｙ２（図７（ｈ））に画像データが出力される。そして、液晶パネル４に所定の電圧値の階調電圧４．５Ｖ（極性がマイナス「−」）が印加される。
【００５５】
（２）時刻ｔ＝ｔ３〜ｔ５
タイミング制御回路２１５に入力されるＰＯＬ信号（図７（ｂ））がローベル（Ｌ）のとき（時刻ｔ＝ｔ３）、ＳＴＢ信号（図７（ａ））によって、スイッチ回路２０８の接点２０８１、２０８２（図７（ｅ））、２０８３、２０８４（図７（ｆ））がオフし、接点２０８５、２０８６、２０８７（（図７に図に図示されず）がオンする。
【００５６】
このとき、二つの系統のうちの一方の系統において、スイッチ回路２０４の接点２０４１（図７（ｃ））がオフし、接点２０４３（図７（ｄ））がオンする。それにより、データレジスタ回路２１９の保持されたローレベル（Ｌ）のデータは、ラッチ回路２２１からレベルシフト回路２１０へスイッチ回路２０４を介して転送される。デコーダ・階調電圧選択回路２１２によって階調電圧１０Ｖが選択され、オペアンプ２１４によって電流増幅される。そして、ＳＴＢ信号（図７（ａ））がローレベルに切替わったとき（時刻ｔ＝ｔ４）、スイッチ回路２０８の接点２０８３（図７（ｆ））がオンし、接点２０８５、２０８６がオフする。それにより、スイッチ回路２０８を介して液晶用駆動回路Ａの出力端子Ｙ１（図７（ｇ））に画像データが出力される。そして、液晶パネル４に所定の電圧値の階調電圧１０Ｖ（極性がマイナス「−」）が印加される。
【００５７】
一方、二つの系統のうちの他方の系統において、スイッチ回路２０４の接点２０４２（図７（ｃ））がオフし、接点２０４４（図７（ｄ））がオンする。それにより、データレジスタ回路２２０の保持されたハイレベル（Ｈ）のデータは、ラッチ回路２２２からレベルシフト回路２０９へスイッチ回路２０４を介して転送される。デコーダ・階調電圧選択回路２１１によって階調電圧４．５Ｖが選択され、オペアンプ２１３によって電流増幅される。そして、ＳＴＢ信号（図７（ａ））がローレベルに切替わったとき（時刻ｔ＝ｔ４）、スイッチ回路２０８の接点２０８４（図７（ｆ））がオンし、接点２０８５、２０８６がオフする。それにより、スイッチ回路２０８を介して液晶用駆動回路Ａの出力端子Ｙ２（図７（ｈ））に画像データが出力される。そして、液晶パネル４に所定の電圧値の階調電圧４．５Ｖ（極性がプラス「＋」）が印加される。
【００５８】
（Ｂ）２Ｈドット反転駆動方式の場合
図３のステップＳ０２において４ライン分の入力画像データ２８の中にその階調が設定階調以上の画像データが所定の画素数以上ないと判断され、駆動方式が２Ｈドット反転駆動方式と決定された場合、時刻ｔ＝ｔ５〜ｔ１３のような動作になる。それは、データ側制御信号２２に含まれるＰＯＬ信号の反転周期で制御されている。
【００５９】
時刻ｔ＝ｔ５〜ｔ９では、ＳＴＢ信号の２周期分において、ＰＯＬ信号がプラス「＋」で一定となる。一方時刻ｔ＝ｔ９〜ｔ１３において、ＰＯＬ信号がマイナス「−」で一定となる。すなわち、ＳＴＢ信号の２周期ごとに、極性が反転する２Ｈドット反転駆動となる。各回路の動作は、タイミングが異なる他は、ドット反転の場合と同様であるのでその説明を省略する。
【００６０】
画像データは各ビット毎にデータの入れ換えが行われる。このように、液晶用駆動回路Ａの２系統の回路をスイッチ制御することにより、液晶パネル４を交流駆動する。
【００６１】
図５のようなデータドライバ２を用いることは、低圧側及び高圧側の二つの系統の回路を有しているので、一つの系統の回路で液晶の閾値電圧の２倍以上の電圧に対処する場合と比較して、一系統で対処する電圧幅が小さくて済む。すなわち、画質の劣化を抑制しながら消費電力を低減できるとともに、各回路の耐圧を低く設定することが可能となる。
【００６２】
（第２の実施の形態）
まず、本発明の液晶表示装置の第２の実施の形態の構成について説明する。図８は、本発明の液晶表示装置の第２の実施の形態の構成を示すブロック図である。液晶表示装置３０は、コントロールドライバ８、ゲート線駆動回路３ｂ、及び表示部４ｂを具備する。この液晶表示装置３０は、主に携帯電話用に用いられる。
【００６３】
コントロールドライバ８は、画像描画部３９（例示：ＣＰＵ）から入力画像データ２８−１、メモリ制御信号２９−１及びタイミング制御信号２９−２を受信する。そして、それらに基づいて、内部に有するデータ線駆動回路３３（後述）とゲート線駆動回路３ｂと表示部４ｂの共通電極を制御する。それにより、表示部４ｂに入力画像データ２８−１に対応する画像が表示される。コントロールドライバ８は、データドライバ２ｂ、ＬＣＤコントローラ５ｂ、基準階調電圧発生部６ｂを備える。
【００６４】
ただし、入力画像データ２８−１は、入力画像を示し、各画素の階調データ（ＲＧＢ信号）を含む。メモリ制御信号２９−１は、Ｖ（垂直）アドレス信号（ゲート線のアドレスを示す）を含む。データドライバ２ｂの表示用メモリ３１の（後述）制御に用いられる。タイミング制御信号２９−２は、データ線駆動回路３３とゲート線駆動回路３ｂと出力のタイミングの制御に用いられる。垂直同期信号、水平同期信号、クロック信号、データイネーブル信号を含む。共通電極の共通電圧２９−１０は、コントロールドライバから直接表示部４ｂへ入力される。
【００６５】
ＬＣＤコントローラ５ｂは、画像描画部３９から入力画像データ２８−１、メモリ制御信号２９−１及びタイミング制御信号２９−２を受信する。そして、それらに基づいて、データドライバ２ｂ（データ線駆動回路３３）へ表示用メモリ制御信号２９−５とＳＴＢ信号２９−６とを出力し、ゲート線駆動回路３ｂへゲート側制御信号２３を出力し、表示部４ｂへＶｃｏｍ（共通電圧）を出力する。ＬＣＤコントローラ５ｂは、画像判定部１１、方式決定部１２、反転切替位置記憶メモリ３５、メモリ制御回路３６、タイミング制御回路３７、Ｖｃｏｍ制御回路３８を含む。
【００６６】
画像判定部１１は、入力画像データ２８−１が入力される。その機能は第１の実施の形態と同様である。ただし、比較結果（判定結果）は方式決定部１２へ出力される。方式決定部１２は、第１の実施の形態と同様である。ただし、決定された反転駆動方式を示すＰＯＬ＿ＳＥＬ信号２８−２（例示：１は２Ｈゲートライン反転駆動方式、０はゲートライン反転駆動方式）は、反転切替位置記憶メモリ３５へ出力される。
【００６７】
反転切替位置記憶メモリ３５は、ＰＯＬ＿ＳＥＬ信号２８−２とメモリ制御信号２９−１のＶアドレス信号とに基づいて、そのＶアドレス信号に相当するゲート線のために用いられるメモリに、ＰＯＬ＿ＳＥＬ信号２８−２（反転駆動方式）を格納する。そして、タイミング制御回路３７からのＰＯＬ＿ＳＥＬ信号２８−２の読み出し信号２９−４に基づいて、メモリに格納されたＰＯＬ＿ＳＥＬ信号２８−２を極性反転制御信号２８−３として出力する。
【００６８】
タイミング制御回路３７は、タイミング制御信号２９−２に基づいて、反転切替位置記憶メモリ３５へ各ゲート線の反転駆動方式を読み出し信号２９−４で問い合せる。そして、問い合せ結果としての極性反転制御信号２８−３とタイミング制御信号２９−２とに基づいて、以下の信号を出力する。すなわち、データドライバ２ｂの表示用メモリ３１内のデータの出力タイミングを示すタイミング制御信号２９−７をメモリ制御回路３６へ出力する。データドライバ２ｂのラッチ回路３２（後述）のデータの出力タイミングを示すＳＴＢ信号２９−６をラッチ回路３２へ出力する。極性反転（例示：”Ｈゲートライン反転又はゲートライン反転）のタイミングを示す極性反転制御信号２９−８を基準階調電圧発生回路６ｂ及びＶｃｏｍ制御回路３８へ出力する。そして、ゲート線駆動回路３ｂの出力タイミングを示すゲート線制御信号２９−９をゲート線駆動回路３ｂへ出力する。
【００６９】
メモリ制御回路３６は、メモリ制御信号２９−１とタイミング制御信号２９−７とに基づいて、データドライバ２ｂの表示用メモリ３１内のデータの出力タイミングを示すタイミング制御信号２９−５をメモリ制御回路３６へ出力する。
【００７０】
Ｖｃｏｍ制御回路３８は、極性反転制御信号２９−８に基づいて、表示部４ｂの共通電極の共通電圧２９−１０を共通電極へ出力する。低消費電力にするために、Ｖｃｏｍ（共通電圧２９−１０）を０Ｖと５Ｖとの間で交流駆動させ、データ線への出力電圧を約５Ｖの範囲で反転駆動している。本発明では、この反転駆動タイミングも、入力画像データの階調に基づいて制御される。
【００７１】
基準階調電圧発生部６ｂは、極性反転制御信号２９−８に基づいて、その極性に対応した入力画像データの階調に対応する階調電圧Ｖ０〜Ｖ６３を正（基準の電圧に対して正）又は負（基準の電圧に対して負）の電圧で生成する。そして、データドライバ２のデータ線駆動回路３３へ出力する。本発明では、この階調電圧Ｖ０〜Ｖ６３の正又は負の反転タイミングも、入力画像データの階調に基づいて制御される。
【００７２】
データドライバ２ｂは、入力画像データ２８−１、ＳＴＢ信号２９−６、タイミング制御信号２９−５及び階調電圧Ｖ０〜Ｖ６３に基づいて、表示部４ｂの複数のデータ線を制御する。データドライバ２ｂは、表示用メモリ３１、ラッチ回路３２及びデータ線駆動回路３３を含む。
【００７３】
表示用メモリ３１は、表示部４ｂの１フレーム分の入力画像データを格納する。そして、タイミング制御信号２９−５に基づいて、入力画素データを１ラインずつラッチ回路３２へ出力する。
ラッチ回路３２は、表示用メモリ３１から出力された入力画像データを１ラインずつ格納する。そして、ＳＴＢ信号２９−６に基づいて、入力画像データ２１を１ラインずつデータ線駆動回路３３へ出力する。
データ線駆動回路３３は、ラッチ回路から出力された１ライン分の入力画像データについて、各画素毎に階調電圧に増幅する。そして、表示部４ｂのデータ線へ出力する。
【００７４】
コントロールドライバ８は、表示が変化したときだけ画像描画部３９から画像データをデータドライバ２ｂへ転送する。静止画像の場合、表示用メモリ３１に格納されている画像データを１ライン毎読み出して表示部４ｂへ画像を出力する。
【００７５】
画像描画部３９から入力画像データが新たに入力されない場合（静止画像）、表示用メモリ３１に蓄えられた画像データは変更されない。加えて、反転切替位置記憶メモリ３５（メモリ３５ｂ）に蓄えられたＰＯＬ＿ＳＥＬ信号も変化しない。したがって、静止画像の場合、各画素での反転駆動方式は替わらずに表示部４ｂに表示される。
【００７６】
ゲート線駆動回路３ｂは、ゲート側制御信号２９−９に基づいて、表示部４ｂの複数のゲート線を制御する。
表示部４ｂは、データ線駆動回路３３及びゲート線駆動回路３ｂにより、それぞれ複数のゲート線及び複数のデータ線を制御され、画像を表示する液晶パネルである。
【００７７】
ここで、図８に示す画像判定部１１における設定階調及び画像の判定については、第１の実施の形態と同様（図２の説明）であるのでその説明を省略する。
【００７８】
本実施の形態においても、フリッカーのような画質の劣化を抑制しながら、消費電力を低減することが可能となる。消費電力を低減できることは、データ線駆動回路３３のような各部の発熱を抑制でき好ましい。
【００７９】
なお、フリッカーの見えにくい白付近の階調領域においては、画質の良いゲートライン反転方式を用いても良いし、消費電力の少ない２Ｈゲートライン反転駆動方式を用いても良い。すなわち、複数の設定階調を設けて、複数の駆動方式を利用することも可能である。その場合、画質の劣化の防止しながら、消費電力の抑制を行う制御を、より詳細かつ的確に行うことができる。
【００８０】
また、ここでは、２Ｈゲートライン反転駆動方式とゲートライン反転駆動方式とを用いている。しかし、他の方式、例えば３Ｈゲートライン反転駆動方式とゲートライン反転駆動方式を用いることも可能である。３Ｈゲートライン反転駆動方式、又はそれ以上のゲートライン反転駆動方式（例示：４Ｈゲートライン反転駆動方式）を用いる場合、消費電力をより低減でき、より好ましい。
【００８１】
なお、ノーマリーブラックの場合には、上記の場合と白と黒との関係が逆になる。すなわち、黒（０〜約２Ｖ程度）及び白（約３〜５Ｖ程度）となり、高電圧で充放電を必要とするのは白付近である。
【００８２】
反転切替位置記憶メモリ３５について詳細に説明する。図１０は、反転位置記憶メモリの構成を示すブロック図である。反転位置記憶メモリは、アドレスデコーダ３５ａと、メモリ３５ｂ（−１〜ｑ：ｑは自然数）を含む。
【００８３】
アドレスでコーダ３５ａは、メモリ制御信号２９−１のＶアドレス信号をデコードする。そして、Ｖアドレス信号に相当するゲートラインのために用いられるメモリ３５ｂに書き込み信号３５ｃ（−１〜ｑ）を出力する。例えば、ゲートラインの上から４列分のために用いられるメモリ３５ｂ−１に書き込み信号３５ｃ−１を出力する。次の４列分のために用いられるメモリ３５ｂ−２に書き込み信号３５ｃ−２を出力する。
【００８４】
メモリ３５ｂ（−１〜ｑ）の各々は、対応する書き込み信号３５ｃ（−１〜ｑ）と同じタイミングで出力されたＰＯＬ＿ＳＥＬ信号２８−２を格納する。例えば、メモリ３５ｂ−１は、書き込み信号３５ｃ−１と同じタイミングで出力されたＰＯＬ＿ＳＥＬ信号２８−２＝１を格納する。これにより、右側の図に示すように、ゲートラインの上から４列分が２Ｈゲートライン反転駆動方式となる。一方、メモリ３５ｂ−２は、書き込み信号３５ｃ−２と同じタイミングで出力されたＰＯＬ＿ＳＥＬ信号２８−２＝０を格納する。これにより、右側の図に示すように、ゲートラインの上から４列分がゲートライン反転駆動方式となる。
【００８５】
メモリの数（ｑ）は、ゲートラインの数（水平画素の数）の総数の４分の１である。すなわち、メモリ３５ｂは、ゲート線の数（水平走査線の数）の４本ごとに設けられている。これは、水平画素の４ライン分（４ゲートライン）ごとに反転駆動方式を決定するからである。
【００８６】
ただし、水平画素のライン数（ゲートライン数）はこの例に限定されない。すなわち、ここでは、２ライン周期のゲートライン反転駆動方式と、４ライン周期の２Ｈゲートライン反転駆動方式との間で駆動方式の決定、変更を行っている。したがって、２ライン周期と４ライン周期との公倍数である４ｍライン周期（ｍは自然数）で駆動方式の決定、変更を行うことが好ましい。本実施の形態のようなｍ＝１となる最小公倍数の４ライン周期で駆動方式の決定、変更を行うことは、画質の劣化をより良く抑えられ、より好ましい。
【００８７】
データ線駆動回路３３及び基準階調電圧発生回路６ｂについて詳細に説明する。図１１は、データ線駆動回路３３及び基準階調電圧発生回路６ｂの構成を示すブロック図である。
【００８８】
基準階調電圧発生回路６ｂは、正極用階調生成部３１７、負極用階調生成部３１８、極性セレクタ３１９を含む。正極用階調生成部３１７は、極性が正の場合の基準階調電圧（Ｖ０〜Ｖ６３）を発生する。負極用階調生成部３１８は、極性が負の場合の基準階調電圧（Ｖ０〜Ｖ６３）を発生する。極性セレクタ３１９は、極性反転制御信号２９−８の示す極性（正又は負）に対応する基準階調電圧をデータ線駆動回路３３へ出力する。
【００８９】
データ線駆動回路３３は、階調電圧選択回路３０６、オペアンプ３０７を含む。階調電圧選択回路３０６は、複数のデータ線の各々に対応して、階調電圧選択回路２１１を有する。階調電圧選択回路２１１は、基準階調電圧発生回路６ｂから出力される基準階調電圧（Ｖ０〜Ｖ６３）のうち、画像データに対応する階調電圧を選択する。オペアンプ３０７は、複数のデータ線の各々に対応して、オペアンプ２１３を有する。対応する階調電圧選択回路２１１で選択された階調電圧を増幅する。
【００９０】
次に、本発明の液晶表示装置の第２の実施の形態の動作（液晶表示装置の駆動方法）について説明する。
図３は、本発明の液晶表示装置の第２の実施の形態の動作を示すフロー図である。ここでは、液晶パネルがノーマリーホワイトであり、水平画素の４ライン分（４ゲートライン）ごとに反転駆動方式を決定する場合について説明する。
【００９１】
（１）ステップＳ０１：
画像描画部３９から送信された入力画像データ２８−１は、画像判定部１１において、１画素分ごとに、その階調が設定階調以上であるか否かが判定される。
（２）ステップＳ０２：
４ライン分の入力画像データ２８の中にその階調が設定階調以上の画像データが所定の画素数以上あるか否かが方式決定部１２により判定される。
（３）ステップＳ０３：
４ライン分の入力画像データ２８の中に設定階調以上の階調を有する画像データが所定の画素数以上ある場合、その４ライン分の入力画像データ２８の駆動方式が、方式決定部１２によりゲートライン反転駆動方式に決定される。
（４）ステップＳ０４：
４ライン分の入力画像データ２８の中に設定階調以上の階調を有する画像データが所定の画素数以上ない場合、その４ライン分の入力画像データ２８の駆動方式は、方式決定部１２により２Ｈゲートライン反転駆動方式に決定される。
（５）ステップＳ０５：
一方、入力画像データ２８−１は、順次、表示用メモリ３１に格納される。
（６）ステップＳ０６：
表示用メモリ３１に格納された入力画像データ２８−１は、タイミング制御信号２９−５に基づいて、ラッチ回路３２へ出力される。ラッチ回路３２に格納された入力画像データ２８−１は、ＳＴＢ信号２９−６に基づいて、データ線駆動回路３３へ出力される。データ線駆動回路３３の入力画像データ２８−１は、基準階調電圧発生回路６ｂに基づいて、基準階調電圧に対応した出力信号を表示部４ｂのデータ線へ出力される。一方、ゲート線制御信号２９−９に基づいて、ゲート線駆動回路３ｂが表示部４ｂのゲート線を駆動する。さらに、共通電圧２９−１０に基づいて、Ｖｃｏｍ制御回路３８が表示部４ｂの共通電極を駆動する。
（７）ステップＳ０７：
それにより、表示部４ｂに入力画像データが表示される。表示部４ｂ（液晶パネル）が駆動される。
【００９２】
このような動作により、液晶表示装置を動作させることができる。
【００９３】
図９は、本発明における液晶パネル４に印加される電圧極性を示す概念図である。液晶パネル４内の各四角は、画素を示す。四角内の「＋」又は「−」は、その画素における電圧極性を示す。左側の液晶パネル４は奇数フレームを、右側の液晶パネル４は偶数フレームをそれぞれ示す。
【００９４】
４ライン分の入力画像データ２８−１の中にその階調が設定階調以上の画像データが所定の画素数以上ない領域（図中、パターンを施した部分）は、２Ｈゲートライン反転駆動方式により極性反転が行われている。一方、所定の画素数以上ある領域（図中、パターンを施していない部分）は、ゲートライン反転駆動方式により極性反転が行われている。すなわち、４本の垂直ライン単位でゲートライン反転駆動方式と２Ｈゲートライン反転駆動方式とを切り替えた駆動方式となっている。
【００９５】
ただし、画像判定部１１及び方式決定部１２において、極性反転方式を決定して切り替えるのは、２フレーム毎とすることが好ましい。すなわち、図９に示す一つの偶数フレームと一つの奇数フレームとを一組として、各組ごとに極性反転方式を決定して切り替えることとする。これは、毎フレーム、極性反転方式がドット反転と２Ｈドット反転とで切り替わってしまった場合、液晶パネルに常に直流電圧が印加される可能性があり、焼き付きになる恐れがあるためである。
【００９６】
ここでは、水平画素の４ライン分（４ゲートライン）ごとに反転駆動方式を決定する場合について説明しているが、水平画素のライン数（ゲートライン数）はこの例に限定されない。すなわち、ここでは、２ライン周期のゲートライン反転駆動方式と、４ライン周期の２Ｈゲートライン反転駆動方式との間で駆動方式の決定、変更を行っている。したがって、２ライン周期と４ライン周期との公倍数である４ｍライン周期（ｍは自然数）で駆動方式の決定、変更を行うことが好ましい。本実施の形態のようなｍ＝１となる最小公倍数の４ライン周期で駆動方式の決定、変更を行うことは、画質の劣化をより良く抑えられ、より好ましい。
【００９７】
このような本発明の構成及び動作により、フリッカーのような画質の劣化を抑制しながら、消費電力を低減し、データドライバ２のような各部の発熱を抑制することが可能となる。
【００９８】
ここでは、すべての画素について、その階調に基づいて、極性を反転する駆動方式を決定しているが、本発明がその例に限定されるものではない。例えば、ＲＧＢ信号のうちのＧ信号の画素において、本発明の駆動方法を適用し、残りのＲ信号及びＢ信号では、２Ｈゲートライン反転駆動方式にしても良い。Ｇ信号は、輝度の情報の多くを含んでいるので、Ｇ信号について本発明を適用すれば、フリッカーが見えにくくなる。この場合、すべての画素について本発明を適用する場合に比較して、制御が容易になるとともに、残りのＲ信号及びＢ信号で２Ｈゲートライン反転駆動方式を用いることにより、消費電力及び発熱をより低減することができる。
【００９９】
次に、本発明の液晶表示装置における第２の実施の形態の動作（図３におけるステップＳ０７）について図８、図１０、図１１、図１２を参照して、画像データが６ビット（６４階調）の場合を例に説明する。
【０１００】
ただし、図１２は、図８に示す各回路のタイミングチャートである。図８（ａ）はＳＴＢ信号、（ｂ）は極性反転制御信号、（ｃ）はＶｃｏｍ、（ｄ）は出力端子Ｙの出力信号をそれぞれ示す。
【０１０１】
タイミング制御回路３７からラッチ回路３２へ出力されるＳＴＢ信号と極性反転制御信号２９−８とに基づいて、基準階調電圧（出力端子での出力信号Ｙに対応）Ｖ０〜Ｖ６３と共通電圧２９−１０との極性が、所定の周期で交互に切り換わる。
【０１０２】
（Ａ）ゲートライン反転駆動方式の場合
図３のステップＳ０２において４ライン分の入力画像データ２８−１の中にその階調が設定階調以上の画像データが所定の画素数以上あると判断され、駆動方式がゲートライン反転駆動方式と決定された場合、時刻ｔ＝ｔ５〜ｔ７のような動作になる。
【０１０３】
（１）時刻ｔ＝ｔ５〜ｔ６
ＳＴＢ信号（図７（ａ））がハイレベル（Ｈ）になるごとに、極性反転制御信号（図７（ｂ））の極性が交互に切り換わる。時刻ｔ＝ｔ５〜ｔ６では、極性反転制御信号（図７（ｂ））の極性が正となり、Ｖｃｏｍ（図７（ｃ））がローレベル（Ｌ）となり、出力端子での出力信号Ｙ（図７（ｄ））が正の階調電圧を示す。
【０１０４】
（２）時刻ｔ＝ｔ６〜ｔ７
時刻ｔ＝ｔ５〜ｔ６では、極性反転制御信号（図７（ｂ））の極性が負となり、Ｖｃｏｍ（図７（ｃ））がハイレベル（Ｈ）となり、出力端子での出力信号Ｙ（図７（ｄ））が負の階調電圧を示す。
【０１０５】
（Ｂ）２Ｈゲートライン反転駆動方式の場合
図３のステップＳ０２において４ライン分の入力画像データ２８−１の中にその階調が設定階調以上の画像データが所定の画素数以上ないと判断され、駆動方式が２Ｈゲートライン反転駆動方式と決定された場合、時刻ｔ＝ｔ１〜ｔ５のような動作になる。
【０１０６】
（１）時刻ｔ＝ｔ１〜ｔ３
ＳＴＢ信号（図７（ａ））がハイレベル（Ｈ）になるごとに、入力画像データは変更される。しかし、極性反転制御信号（図７（ｂ））の極性は、ＴＢ信号（図７（ａ））が２回ハイレベル（Ｈ）になるごとに、交互に切り換わる。時刻ｔ＝ｔ１〜ｔ３では、極性反転制御信号（図７（ｂ））の極性が正となり、Ｖｃｏｍ（図７（ｃ））がローレベル（Ｌ）となり、出力端子での出力信号Ｙ（図７（ｄ））が正の階調電圧を示す。
【０１０７】
（２）時刻ｔ＝ｔ３〜ｔ５
時刻ｔ＝ｔ３〜ｔ５では、極性反転制御信号（図７（ｂ））の極性が負となり、Ｖｃｏｍ（図７（ｃ））がハイレベル（Ｈ）となり、出力端子での出力信号Ｙ（図７（ｄ））が負の階調電圧を示す。
【０１０８】
コントローラドライバ８は、図１２（ｃ）に示すようにＶｃｏｍを交流駆動にしている。それにより、Ｖｃｏｍを交流駆動しない場合に比較して、データ線への出力電圧（図１２（ｄ））を半分にすることができる。例えば、第１の実施の形態のドット反転駆動ではＶｃｏｍ＝５Ｖ、データ線電圧負極性０〜５Ｖ、データ線電圧正極性５〜１０Ｖである。一方、本実施の形態のゲートライン反転駆動では、データ線電圧負極性５〜０Ｖ（Ｖｃｏｍ＝５Ｖ）、データ線電圧正極性０〜５Ｖ（Ｖｃｏｍ＝０Ｖ）となる。
【０１０９】
本発明では、従来用いられていたコントロールドライバ８（データドライバ２ｂ、ＬＣＤコントローラ５ｂ、基準階調電圧発生部６ｂ）、ゲート線駆動回路３ｂ、及び表示部４ｂのうちのＬＣＤコントローラ５ｂに、画像判定部１１、方式決定部１２及び反転切替位置記憶メモリ３５を用いている。これらの機能を加えることで、入力画像データの階調の大きさに基づいて、極性の反転駆動方式を変更することができる。それにより、フリッカーのような画質の劣化を抑制しながら、消費電力を低減し、データドライバ２のような各部の発熱を抑制することが可能となる。
【０１１０】
（第３の実施の形態）
まず、本発明の液晶表示装置の第３の実施の形態の構成について説明する。図１３は、本発明の液晶表示装置の第３の実施の形態の構成を示すブロック図である。液晶表示装置１ａは、データドライバ２ａ、ゲートドライバ３、液晶パネル４、ＬＣＤコントローラ５ａ、基準階調電圧発生部６を具備する。
【０１１１】
ＬＣＤコントローラ５ａは、画像描画部７（例示：ＣＰＵ）から入力画像データ２８と表示制御信号２９とを入力される。入力画像データ２８及び表示制御信号２９は、第１の実施の形態と同じである。そして、入力画像データ２８と表示制御信号２９とに基づいて、画像データ２１、データ側制御信号２２、第２極性反転信号（以下、「ＰＯＬ＿２信号」）２５及び極性反転切替制御信号（以下、「ＰＯＬ＿ＳＥＬ信号」）２６をデータドライバ２へ、ゲート側制御信号２３をゲートドライバ３へそれぞれ出力する。データ側制御信号２２には、通常のデータ側制御信号のほかに、極性反転信号（以下、「ＰＯＬ信号」）を含む。ゲート側制御信号２３には、通常のゲート側制御信号が含まれる。
【０１１２】
極性反転信号（ＰＯＬ信号）は、1フレーム未満の複数の画素（ブロック）に関して、ドット反転駆動方式で駆動するタイミングで常時出力されている。第２極性反転信号（ＰＯＬ＿２信号）は、1フレーム未満の複数の画素（グループ）に関して、２Ｈドット反転駆動方式で駆動するタイミングで常時出力されている。極性反転切替制御信号（ＰＯＬ＿ＳＥＬ信号）は、1フレーム未満の複数の画素（グループ）に関して、ドット反転駆動方式で駆動するか２Ｈドット反転駆動方式で駆動するか（ＰＯＬ信号とＰＯＬ＿２信号とのいずれかの選択）を制御する。
【０１１３】
ＬＣＤコントローラ５ａは、画像判定部１１と方式決定部１２ａとラインメモリ１３とを備える。
画像判定部１１は、入力画像データ２８における画素ごとに、その入力画像データ２８の階調と設定階調とを比較し、入力画像データ２８の階調が設定階調より高いか低いかを判定する。比較結果（判定結果）は方式決定部１２ａへ出力される。入力画像データ２８は、ラインメモリ１３へ出力される。
【０１１４】
方式決定部１２ａは、比較結果に基づいて、入力画像データを液晶パネル４で表示するときの反転駆動方式を、1フレーム未満の複数の画素ごとに決定する。「1フレーム未満の複数の画素」は、例えば４画素（垂直）×２画素（水平）のような複数の画素のグループに例示される。決定方法は、第１の実施の形態と同様であるのでその説明を省略する。
【０１１５】
ラインメモリ１３は、方式決定部１２ａで判定する画素のグループのうちの、垂直方向の画素のライン分に対応する入力画像データ２８を一時的に格納する。例えば、方式決定部１２ａが４画素（垂直）×２画素（水平）の画素ブロックごとに判定する場合には、４ライン分格納する。そして、複数のライン分に対応する入力画像データ２８を格納した後、入力画像データ２８を画像データ２１としてデータドライバ１３へ出力する。ラインメモリ１３は、画像データ２１をデータドライバ１３へ出力する際に判定結果を反映したデータ側制御信号とのタイミング調整のために備えられる。
【０１１６】
基準階調電圧発生部６は、入力画像データの階調に対応する階調電圧を生成し、データドライバ２ａへ出力する。
ゲートドライバ３は、ゲート側制御信号２３に基づいて、液晶パネル４の複数のゲート線を制御する。ただし、ＬＣＤコントローラ５と一体に構成されていても良い。その場合、回路面積を小さくすることができる。
データドライバ２ａは、入力画像データ２１、データ側制御信号２２、第２極性反転信号（ＰＯＬ＿２信号）２５、極性反転切替制御信号（ＰＯＬ＿ＳＥＬ信号）２６、及び基準階調電圧２４に基づいて、液晶パネル４の複数のデータ線を制御する。ただし、ＬＣＤコントローラ５と一体に構成されていても良い。その場合、回路面積を小さくすることができる。
液晶パネル４は、データドライバ２及びゲートドライバ３により、それぞれ複数のゲート線及び複数のデータ線を制御され、画像を表示する。
【０１１７】
ここで、図１３に示す画像判定部１１における設定階調及び画像の判定については、第１の実施の形態と同様（図２の説明）であるのでその説明を省略する。
【０１１８】
本実施の形態においても、フリッカーのような画質の劣化を抑制しながら、消費電力を低減することが可能となる。消費電力を低減できることは、データドライバ２ａのような各部の発熱を抑制でき好ましい。
【０１１９】
なお、フリッカーの見えにくい白付近の階調領域においては、画質の良いドット反転方式を用いても良いし、消費電力の少ない２Ｈドット反転駆動方式を用いても良い。すなわち、複数の設定階調を設けて、複数の駆動方式を利用することも可能である。その場合、画質の劣化の防止しながら、消費電力の抑制を行う制御を、より詳細かつ的確に行うことができる。
【０１２０】
また、ここでは、２Ｈドット反転駆動方式とドット反転駆動方式とを用いている。しかし、他の方式、例えば３Ｈドット反転駆動方式とドット反転駆動方式を用いることも可能である。３Ｈドット反転駆動方式、又はそれ以上のドット反転駆動方式（例示：４Ｈドット反転駆動方式）を用いる場合、消費電力をより低減でき、より好ましい。
【０１２１】
なお、ノーマリーブラックの場合には、上記の場合と白と黒との関係が逆になる。すなわち、黒（０〜約２Ｖ程度）及び白（約３〜５Ｖ程度）となり、高電圧で充放電を必要とするのは白付近である。
【０１２２】
次に、本発明の液晶表示装置の第３の実施の形態の動作（液晶表示装置の駆動方法）について説明する。
図３は、本発明の液晶表示装置の第１の実施の形態の動作を示すフロー図である。ここでは、液晶パネルがノーマリーホワイトであり、４画素（垂直）×２画素（水平）の画素ブロックごとに反転駆動方式を決定する場合について説明する。
【０１２３】
（１）ステップＳ０１：
画像描画部７から送信された入力画像データ２８は、画像判定部１１において、１画素分ごとに、その階調が設定階調以上であるか否かが判定される。
（２）ステップＳ０２：
４画素（垂直）×２画素（水平）の画素ブロックの入力画像データ２８の中にその階調が設定階調以上の画像データが所定の画素数以上あるか否かが方式決定部１２ａにより判定される。
（３）ステップＳ０３：
その画素ブロックの入力画像データ２８の中に設定階調以上の階調を有する画像データが所定の画素数以上ある場合、その画素ブロックの入力画像データ２８の駆動方式が、方式決定部１２ａによりドット反転駆動方式に決定される。
（４）ステップＳ０４：
その画素ブロックの入力画像データ２８の中に設定階調以上の階調を有する画像データが所定の画素数以上ない場合、その４ライン分の入力画像データ２８の駆動方式は、方式決定部１２ａにより２Ｈドット反転駆動方式に決定される。
（５）ステップＳ０５：
画像判定部１１において判定された入力画像データ２８は、順次、ラインメモリ１３に格納される。ラインメモリ１３は、駆動方式の判定の単位である液晶パネル４の水平画素数分の４ライン分ある。４ライン分は、画素ブロックの４画素（垂直）に対応する。
（６）ステップＳ０６：
ラインメモリ１３に格納された４ライン分の入力画像データ２８は、駆動方式の判定後、画像データ２１としてデータドライバ２へ順次出力される。同時に、ＰＯＬ信号を含むデータ側制御信号２２、ＰＯＬ＿２信号２５、方式決定部１２ａが決定した駆動方式を示すＰＯＬ＿ＳＥＬ信号２６は、ＬＣＤコントローラ５からデータドライバ２へ出力される。ゲート側制御信号は、ＬＣＤコントローラ５からゲートドライバ３へ出力される。基準階調電圧２４は、基準階調電圧発生装置６からゲートドライバ３へ出力される。
（７）ステップＳ０７：
データ側制御信号に基づくデータドライバ２からの出力信号、及び、ゲート側制御信号に基づくゲートドライバ３からの出力信号により、液晶パネル４が駆動される。
【０１２４】
このような動作により、液晶表示装置を動作させることができる。
【０１２５】
図１４は、本発明における液晶パネル４に印加される電圧極性を示す概念図である。液晶パネル４内の各四角は、画素を示す。四角内の「＋」又は「−」は、その画素における電圧極性を示す。左側の液晶パネル４は奇数フレームを、右側の液晶パネル４は偶数フレームをそれぞれ示す。
【０１２６】
４画素（垂直）×２画素（水平）の画素ブロックの入力画像データ２８の中にその階調が設定階調以上の画像データが所定の画素数以上ない領域（図中、パターンを施した部分）は、２Ｈドット反転駆動方式により極性反転が行われている。一方、所定の画素数以上ある領域（図中、パターンを施していない部分）は、ドット反転駆動方式により極性反転が行われている。すなわち、４画素×２画素の画素ブロック単位でドット反転駆動方式と２Ｈドット反転駆動方式とを切り替えた駆動方式となっている。
【０１２７】
ただし、画像判定部１１及び方式決定部１２において、極性反転方式を決定して切り替えるのは、２フレーム毎とすることが好ましい。すなわち、図１４に示す一つの偶数フレームと一つの奇数フレームとを一組として、各組ごとに極性反転方式を決定して切り替えることとする。これは、毎フレーム、極性反転方式がドット反転と２Ｈドット反転とで切り替わってしまった場合、液晶パネルに常に直流電圧が印加される可能性があり、焼き付きになる恐れがあるためである。
【０１２８】
ここでは、４画素（垂直）×２画素（水平）の画素ブロックごとに反転駆動方式を決定する場合について説明しているが、画素ブロックの画素数はこの例に限定されない。
垂直に並ぶ４画素については、以下のようにして決定している。すなわち、ここでは、２ライン周期のドット反転駆動方式と、４ライン周期の２Ｈドット反転駆動方式との間で駆動方式の決定、変更を行っている。したがって、２ライン周期と４ライン周期との公倍数である４ｍライン周期（ｍは自然数）で駆動方式の決定、変更を行うことが好ましい。本実施の形態のようなｍ＝１となる最小公倍数の４ライン周期で駆動方式の決定、変更を行うことは、画質の劣化をより良く抑えられ、より好ましい。
水平に並ぶ２画素については、以下のようにして決定している。すなわち、水平方向に隣り合う２つの画素の組が、必ず「＋」と「−」との極性の組の倍数になるようにする。これにより、液晶がチャージアップしないようにすることができる。したがって、２ｋ（ｋは自然数）となるように駆動方式の決定、変更を行うことが好ましい。本実施の形態のようなｋ＝１となる２画素周期で駆動方式の決定、変更を行うことは、画質の劣化をより良く抑えられ、より好ましい。
【０１２９】
このような本発明の構成及び動作により、第１の実施の形態と同様の効果を得ることができる。加えて、複数の画素からなる画素ブロックごとに反転駆動方式を決定しているので、より適切にフリッカーのような画質の劣化を抑制することができ、かつ、より消費電力を低減し、データドライバ２のような各部の発熱をより抑制することが可能となる。
【０１３０】
ここでは、すべての画素について、本発明の駆動方法を適用している。しかし、既述のように、ＲＧＢ信号のうちのＧ信号の画素において、本発明の駆動方法を適用し、残りのＲ信号及びＢ信号では、２Ｈドット反転駆動方式にしても良い。この場合も、すべての画素について本発明を適用する場合に比較して、制御が容易になるとともに、残りのＲ信号及びＢ信号で２Ｈドット反転駆動方式を用いることにより、消費電力及び発熱を低より減することができる。
【０１３１】
本発明の液晶表示装置におけるゲートドライバ２ａは、例えば、図５で説明したゲートドライバ２を改造した駆動回路を用いることができる。
【０１３２】
図１５は、本発明の液晶表示装置におけるゲートドライバ２ａの詳細を示すブロック図である。本発明のゲートドライバ２ａは、液晶用駆動回路Ａａと、スイッチ回路１０４、１０８とを備える。
【０１３３】
液晶用駆動回路Ａａは、印加された画像データに応じ、供給された液晶駆動電圧の１／２の電圧または液晶共通電極の電圧Ｖｃｏｍを基準として、正及び負の電圧を出力する。シフトレジスタ回路１０１、データレジスタ回路１０２、ラッチ回路１０３、レベルシフト回路１０５、デコーダ・階調電圧選択回路１０６及び演算増幅器（オペアンプ）１０７を含む。これらの回路構成は、２系統からなっている。なお、本発明では、液晶共通電極の電圧Ｖｃｏｍを基準として、この電圧値以上の電圧を正の電圧として印加し、この電圧値以下の電圧を負の電圧とし、正負の振幅関係を保って印加することにより交流駆動している。
【０１３４】
データレジスタ回路１０２は、シフトレジスタ回路１０１の各段の出力に応答して、制御されるｎ（自然数）ビットの画像データ２１（Ｄ００〜Ｄｘｘ）を並列にラッチする。データレジスタ回路１１９とデータレジスタ回路１２０との二つの系統を有する。その二つの系統の組合せでｍ個設けられている。データレジスタ回路１０２は、さらに、ＰＯＬ＿ＳＥＬ信号を格納するためのレジスタ回路１２３を、二つの系統の組ごとに有している。
【０１３５】
ラッチ回路１０３は、データレジスタ回路１０２からのｎビットのデータ（画像データ２１：Ｄ００〜Ｄｘｘ）を、ラッチ信号（以下、「ＳＴＢ信号」）に応答して、一括でラッチする。データレジスタ回路１１９に接続するラッチ回路１２１とデータレジスタ回路１２０に接続するラッチ回路１２２との二つの系統を有する。その二つの系統の組合せでｍ個設けられている。ラッチ回路１０３は、さらに、ＰＯＬ＿ＳＥＬ信号を格納するためのレジスタ回路１２４が、二つの系統の組ごとに設けられている。
【０１３６】
レベルシフト回路１０５は、ラッチ回路１０３からのｎビットのデータを異なる電圧値の液晶駆動電圧に昇圧する。高圧側のレベルシフト回路１０９と低圧側のレベルシフト回路１１０との二つの系統を有する。その二つの系統の組合せでｍ個設けられている。本実施の形態では、高圧側のレベルシフト回路１０９は、例えば３．３Ｖを１０Ｖに昇圧し、低圧側のレベルシフト回路１１０は、例えば３．３Ｖを５Ｖに昇圧するように設定されている。ただし、この昇圧率に限定されるものではない。レベルシフト回路１０５は、従来知られた回路を用いることができる。
【０１３７】
スイッチ回路１０４は、タイミング制御回路１１５からの制御信号（ＰＯＬ信号又はＰＯＬ＿２信号）に基いて、一つの系統のラッチ回路１２１の出力を、高圧側レベルシフト回路１０９及び低圧側のレベルシフト回路１１０のうちのいずれか一方に選択的に接続する。同時に、他の一つの系統のラッチ回路１２２の出力を、高圧側レベルシフト回路１０９及び低圧側のレベルシフト回路１１０のうちの他方に選択的に接続する。スイッチ回路１０４は、さらに、画素ブロックごとにレジスタ回路（１２３、１２４）に蓄えられるＰＯＳ＿ＳＥＬ信号によって、制御信号としてＰＯＬ信号及びＰＯＬ＿２信号のいずれか一方を選択するスイッチが追加されている。
【０１３８】
図１６〜図２１は、各回路のスイッチ制御の具体例を示すブロック図である。ただし、これらの図では、左側の一組の２系統では、ＰＯＬ＿ＳＥＬ信号＝０により接点１０４５で制御信号としてＰＯＬ信号が選択される場合（ドット反転駆動方式）を示す。右側の一組の２系統では、ＰＯＬ＿ＳＥＬ信号＝１により接点１０４６で制御信号としてＰＯＬ＿２信号が選択される場合（２Ｈドット反転駆動方式）を示す。
【０１３９】
スイッチ回路１０４は、具体的には、以下のようにスイッチ制御する。
図１６の左側の一組の２系統では、ＰＯＬ信号＝ハイレベル（Ｈ）（ＳＴＢ信号＝Ｌ）により、接点１０４１でラッチ回路１２１を高圧側レベルシフト回路１０９に、接点１０４２でラッチ回路１２２を低圧側レベルシフト回路１１０にそれぞれ接続する。
右側の一組の２系統では、ＰＯＬ＿２信号＝ハイレベル（Ｈ）（ＳＴＢ信号＝Ｌ）により、接点１０４１でラッチ回路１２１を高圧側レベルシフト回路１０９に、接点１０４２でラッチ回路１２２を低圧側レベルシフト回路１１０にそれぞれ接続する。
【０１４０】
図１７の左側の一組の２系統では、ＰＯＬ信号＝ローレベル（Ｌ）（ＳＴＢ信号＝Ｌ）により、接点１０４４でラッチ回路１２１を低圧側レベルシフト回路１１０に、接点１０４３でラッチ回路１２２を高圧側レベルシフト回路１０９にそれぞれ接続する。
右側の一組の２系統では、ＰＯＬ＿２信号＝ハイレベル（Ｈ）（ＳＴＢ信号＝Ｌ）により、接点１０４１でラッチ回路１２１を高圧側レベルシフト回路１０９に、接点１０４２でラッチ回路１２２を低圧側レベルシフト回路１１０にそれぞれ接続する。
【０１４１】
図１８の左側の一組の２系統では、ＰＯＬ信号＝ハイレベル（Ｈ）（ＳＴＢ信号＝Ｌ）により、接点１０４１でラッチ回路１２１を高圧側レベルシフト回路１０９に、接点１０４２でラッチ回路１２２を低圧側レベルシフト回路１１０にそれぞれ接続する。
右側の一組の２系統では、ＰＯＬ＿２信号＝ローレベル（Ｌ）（ＳＴＢ信号＝Ｌ）により、接点１０４４でラッチ回路１２１を低圧側レベルシフト回路１１０に、接点１０４３でラッチ回路１２２を高圧側レベルシフト回路１０９にそれぞれ接続する。
【０１４２】
図１９の左側の一組の２系統では、ＰＯＬ信号＝ローレベル（Ｌ）（ＳＴＢ信号＝Ｌ）により、接点１０４４でラッチ回路１２１を低圧側レベルシフト回路１１０に、接点１０４３でラッチ回路１２２を高圧側レベルシフト回路１０９にそれぞれ接続する。
右側の一組の２系統では、ＰＯＬ＿２信号＝ローレベル（Ｌ）（ＳＴＢ信号＝Ｌ）により、接点１０４４でラッチ回路１２１を低圧側レベルシフト回路１１０に、接点１０４３でラッチ回路１２２を高圧側レベルシフト回路１０９にそれぞれ接続する。
【０１４３】
階調電圧発生回路６、デコーダ・階調電圧選択回路１０６及びオペアンプ１０７は、第１の実施の形態の階調電圧発生回路６、デコーダ・階調電圧選択回路２０６及びオペアンプ２０７と同様であるのでその説明を省略する。ただし、高圧側階調電圧発生回路１１７及び低圧側階調電圧発生回路１１８は、それぞれ高圧側階調電圧発生回路２１７及び低圧側階調電圧発生回路２１８に対応する。高圧側デコーダ・階調電圧選択回路１１１及び低圧側デコーダ・階調電圧選択回路１１２は、それぞれ高圧側デコーダ・階調電圧選択回路２１１及び低圧側デコーダ・階調電圧選択回路２１２に対応する。高圧側オペアンプ１１３及び低圧側オペアンプ１１４は、それぞれ高圧側オペアンプ２１３及び低圧側オペアンプ２１４に対応する。
【０１４４】
スイッチ回路１０８は、液晶用駆動回路Ａａの２系統回路の２端子で共用し、各端子に時系列に正および負の電圧を出力するとともに、２端子間で互いに正負の振幅関係を保つ電圧を出力するようにスイッチ制御する。スイッチ回路１０８は、共通端子スイッチ１０８ｂを有する。共通端子スイッチ１０８ｂは、液晶用駆動回路Ａａの全出力端子Ｙ1〜Ｙｍを共通に接続し、全出力端子Ｙ1〜Ｙｍを液晶駆動電圧の１／２の電圧（１／２ＶＬＣＤ（例示：５Ｖ））にする。液晶に直接つながるスイッチ回路１０８の耐圧は、液晶のしきい電圧値の２倍以上に設定されている。共通端子スイッチ１０８ｂは、消費電力削減のために水平方向２ラインごとにデータ線をショートする。２ラインごとに独立に制御できる。
【０１４５】
図１６〜図１９を参照して、スイッチ回路１０８は、具体的には、以下のようにスイッチ制御する。ただし、これらの図では、左側の一組の２系統では、ＰＯＬ＿ＳＥＬ信号＝０により接点１０８５で制御信号としてＰＯＬ信号が選択される場合（ドット反転駆動方式）を示す。右側の一組の２系統では、ＰＯＬ＿ＳＥＬ信号＝１により接点１０８６で制御信号としてＰＯＬ＿２信号が選択される場合（２Ｈドット反転駆動方式）を示す。
【０１４６】
図１６の左側の一組の２系統では、ＰＯＬ信号＝ハイレベル（Ｈ）（ＳＴＢ信号＝Ｌ）により、接点１０８１で高圧側オペアンプ１１３を出力端子Ｙ１に、接点１０８２で低圧側オペアンプ１１４を出力端子Ｙ２にそれぞれ接続する。
右側の一組の２系統では、ＰＯＬ＿２信号＝ハイレベル（Ｈ）（ＳＴＢ信号＝Ｌ）により、接点１０８１で高圧側オペアンプ１１３を出力端子Ｙ３に、接点１０８２で低圧側オペアンプ１１４を出力端子Ｙ４にそれぞれ接続する。
【０１４７】
図１７の左側の一組の２系統では、ＰＯＬ信号＝ローレベル（Ｌ）（ＳＴＢ信号＝Ｌ）により、接点１０８４で高圧側オペアンプ１１３を出力端子Ｙ２に、接点１０８３で低圧側オペアンプ１１４を出力端子Ｙ１にそれぞれ接続する。
右側の一組の２系統では、ＰＯＬ＿２信号＝ハイレベル（Ｈ）（ＳＴＢ信号＝Ｌ）により、接点１０８１で高圧側オペアンプ１１３を出力端子Ｙ３に、接点１０８２で低圧側オペアンプ１１４を出力端子Ｙ４にそれぞれ接続する。
【０１４８】
図１８の左側の一組の２系統では、ＰＯＬ信号＝ハイレベル（Ｈ）（ＳＴＢ信号＝Ｌ）により、接点１０８１で高圧側オペアンプ１１３を出力端子Ｙ１に、接点１０８２で低圧側オペアンプ１１４を出力端子Ｙ２にそれぞれ接続する。
右側の一組の２系統では、ＰＯＬ＿２信号＝ローレベル（Ｌ）（ＳＴＢ信号＝Ｌ）により、接点１０８４で高圧側オペアンプ１１３を出力端子Ｙ４に、接点１０８３で低圧側オペアンプ１１４を出力端子Ｙ３にそれぞれ接続する。
【０１４９】
図１９の左側の一組の２系統では、ＰＯＬ信号＝ローレベル（Ｌ）（ＳＴＢ信号＝Ｌ）により、接点１０８４で高圧側オペアンプ１１３を出力端子Ｙ２に、接点１０８３で低圧側オペアンプ１１４を出力端子Ｙ１にそれぞれ接続する。
右側の一組の２系統では、ＰＯＬ＿２信号＝ローレベル（Ｌ）（ＳＴＢ信号＝Ｌ）により、接点１０８４で高圧側オペアンプ１１３を出力端子Ｙ４に、接点１０８３で低圧側オペアンプ１１４を出力端子Ｙ３にそれぞれ接続する。
【０１５０】
図２０〜図２１は、共通端子スイッチ１０８ｂのスイッチ制御の具体例を示すブロック図である。ただし、これらの図では、左側の一組の２系統では、ＰＯＬ＿ＳＥＬ信号＝０により制御信号としてＰＯＬ信号が選択される場合（ドット反転駆動方式）を示す。右側の一組の２系統では、ＰＯＬ＿ＳＥＬ信号＝１により制御信号としてＰＯＬ＿２信号が選択される場合（２Ｈドット反転駆動方式）を示す。
【０１５１】
図２０を参照して、ＳＴＢ信号がハイレベル（Ｈ）のとき、ＰＯＬ信号のみが反転する周期では、ＰＯＬ信号で制御される出力端子（図中、Ｙ１、Ｙ２）に関わる共通端子スイッチ１０８ｂ（接点１０８ｂ１、１０８ｂ２）がオンとなる。それにより、液晶用駆動回路ＡａのうちのＰＯＬ信号で制御される出力端子（図中、Ｙ1、Ｙ２）が共通に接続され、１／２ＶＬＣＤにされる。ただし、ＰＯＬ＿２信号で制御される出力端子（図中、Ｙ３、Ｙ４）に関わる共通端子スイッチ１０８ｂ（接点１０８ｂ１、１０８ｂ２）はオフのままである。
【０１５２】
図２１を参照して、ＳＴＢ信号がハイレベル（Ｈ）のとき、ＰＯＬ信号及びＰＯＬ＿２信号が反転する周期では、全ての共通端子スイッチ１０８ｂ（接点１０８ｂ１、１０８ｂ２）がオンとなる。それにより、液晶用駆動回路Ａａの全出力端子（図中、Ｙ1〜Ｙ４）が共通に接続され、１／２ＶＬＣＤにされる。
【０１５３】
次に、各回路の電源電圧については、データレジスタ回路１１９，１２０、ラッチ回路１２１，１２２、スイッチ回路１０４、１０８、レベルシフト回路１０９、１１０、デコーダ・階調電圧選択回路１１１、１１２、オペアンプ１１３、１１４は、それぞれデータレジスタ回路２１９，２２０、ラッチ回路２２１，２２２、スイッチ回路２０４、２０８、レベルシフト回路２０９、２１０、デコーダ・階調電圧選択回路２１１、２１２、オペアンプ２１３、２１４と同様である。階調電圧発生回路１１７、１１８に外部入力として印加される電圧も階調電圧発生回路２１７、２１８と同様である。
【０１５４】
次に、図１５のゲートドライバ２ａを用いた本発明の液晶表示装置における第３の実施の形態の動作（図３におけるステップＳ０７）について図１３、図１６〜図２２を参照して、画像データが６ビット（６４階調）の場合を例に説明する。
【０１５５】
ただし、図２２は、図１５に示す各回路のタイミングチャートである。図２２（ａ）はＳＴＢ信号、（ｂ）はＰＯＬ信号、（ｃ）はＰＯＬ＿２信号をそれぞれ示す。
（ｄ）はスイッチ回路１０４の接点１０４１、１０４２のオン／オフ、（ｅ）はスイッチ回路１０４の接点１０４３、１０４４のオン／オフ、（ｆ）はスイッチ回路１０８の接点１０８１、１０８２のオン／オフ、（ｇ）はスイッチ回路１０８の接点１０８３、１０８４のオン／オフをそれぞれ示す。ただし、（ｄ）〜（ｇ）は、ＰＯＬ＿ＳＥＬ信号＝０（ドット反転駆動方式）のラインの場合である。
（ｈ）はスイッチ回路１０４の接点１０４１、１０４２のオン／オフ、（ｉ）はスイッチ回路１０４の接点１０４３、１０４４のオン／オフ、（ｊ）はスイッチ回路１０８の接点１０８１、１０８２のオン／オフ、（ｋ）はスイッチ回路１０８の接点１０８３、１０８４のオン／オフをそれぞれ示す。ただし、（ｈ）〜（ｋ）は、ＰＯＬ＿ＳＥＬ信号＝１（２Ｈドット反転駆動方式）のラインの場合である。
（ｌ）は出力端子Ｙ１の出力信号、（ｍ）は出力端子Ｙ２の出力信号、（ｎ）は出力端子Ｙ３の出力信号、（ｏ）は出力端子Ｙ４の出力信号をそれぞれ示す。
【０１５６】
タイミング制御回路１１５に入力されるＰＯＬ信号、ＰＯＬ＿２信号及びＳＴＢ信号とデータレジスタ回路１０２に入力されるＰＯＬ＿ＳＥＬ信号によって、スイッチ回路１０４およびスイッチ回路１０８が図１６〜図１９のようにライン毎に交互に（Ｙ１，Ｙ２）、又は、２ライン毎に交互に（Ｙ３、Ｙ４）切り換わる。それにより、液晶用駆動回路Ａａの二つの系統の回路のどちら側に６４階調の画像データを経由するかによって、液晶電極に対し正、負の電圧が所定の周期で交互に印加される。
【０１５７】
また図２１〜図２２に示すように、タイミング制御回路１１５に入力されるＳＴＢ信号がハイレベル（Ｈ）の期間では、スイッチ回路１０８のスイッチ制御によって接点１０８１、１０８２、１０８３、１０８４がオフし、接点１０８ｂ１、１０８ｂ２がオンして、液晶用駆動回路Ａａの全出力端子Ｙ1〜Ｙｍが液晶駆動電圧の１／２の電圧（例示：５Ｖ）にリセットされる。
【０１５８】
また、ＰＯＬ＿ＳＥＬ信号によりＰＯＬ信号及びＰＯＬ＿２信号のうちのいずれか一方を画素ブロック毎に選択することにより、ドット反転駆動方式及び２Ｈドット反転駆動方式のうちのいずれか一方の方式で液晶パネル４の当該画素ブロックが駆動される。
【０１５９】
動作について更に詳細に説明する。液晶用駆動回路Ａａの出力端子Ｙ１に接続されるデータレジスタ回路１１９は常時ローレベル（Ｌ）のデータ（階調が一定の画像データ）を保持し、液晶用駆動回路Ａの出力端子Ｙ２に接続されるデータレジスタ回路１２０は常時ハイレベル（Ｈ）のデータ（階調が一定の画像データ）を保持しているとする。
【０１６０】
（Ａ）ドット反転駆動方式の場合
図３のステップＳ０２において４画素×２画素の画素ブロックの入力画像データ２８の中にその階調が設定階調以上の画像データが所定の画素数以上あると判断された場合、駆動方式がドット反転駆動方式と決定される。その場合、ＰＯＬ＿ＳＥＬ信号＝０となり、図１６〜図２１における出力端子Ｙ１、Ｙ２側、及び、図２２における（ａ）、（ｂ）、（ｄ）〜（ｇ）、（ｌ）、（ｍ）に示される動作となる。
【０１６１】
ＬＣＤコントロール５ａから出力された極性反転切替制御信号２６（ＰＯＬ＿ＳＥＬ信号＝０）に基づいて、スイッチ回路１０４は接点１０４５によりＰＯＬ信号を選択し、スイッチ回路１０８は、接点１０８５によりＰＯＬ信号を選択する。
【０１６２】
（１）時刻ｔ＝ｔ１〜ｔ３（図１６、１８の左側の場合に相当）
タイミング制御回路１１５に入力されるＰＯＬ信号（図２２（ｂ））がハイレベル（Ｈ）のとき（時刻ｔ＝ｔ１）、ＳＴＢ信号（図２２（ａ））がハイレベルによって、スイッチ回路１０８の接点１０８１、１０８２（図２２（ｆ））、１０８３、１０８４（図２２（ｇ））がオフする。一方、接点１０８ｂ１、１０８ｂ２（（図２２に図に図示されず、図１７、１８左側参照）がオンする。
【０１６３】
このとき、二つの系統のうちの一方の系統において、スイッチ回路２０４の接点１０４１（図２２（ｄ））がオンし、接点１０４３（図２２（ｅ））がオフする。それにより、データレジスタ回路１１９の保持されたローレベル（Ｌ）のデータは、ラッチ回路１２１からレベルシフト回路１０９へスイッチ回路１０４を介して転送される。デコーダ・階調電圧選択回路１１１によって階調電圧１０Ｖが選択され、オペアンプ１１３によって電流増幅される。そして、ＳＴＢ信号（図２２（ａ））がローレベルに切替わったとき（時刻ｔ＝ｔ２）、スイッチ回路１０８の接点１０８１（図２２（ｆ））がオンし、接点１０８ｂ１、１０８ｂ２がオフする。それにより、スイッチ回路１０８を介して液晶用駆動回路Ａａの出力端子Ｙ１（図２２（ｌ））に画像データが出力される。そして、液晶パネル４に所定の電圧値の階調電圧１０Ｖ（極性がプラス「＋」）が印加される。
【０１６４】
一方、二つの系統のうちの他方の系統において、スイッチ回路１０４の接点１０４２（図２２（ｄ））がオンし、接点１０４４（図２２（ｅ））がオフする。それにより、データレジスタ回路１２０の保持されたハイレベル（Ｈ）のデータは、ラッチ回路１２２からレベルシフト回路１１０へスイッチ回路１０４を介して転送される。デコーダ・階調電圧選択回路１１２によって階調電圧４．５Ｖが選択され、オペアンプ１１４によって電流増幅される。そして、ＳＴＢ信号（図２２（ａ））がローレベルに切替わったとき（時刻ｔ＝ｔ２）、スイッチ回路１０８の接点１０８２（図２２（ｆ））がオンし、接点１０８ｂ１、１０８ｂ２がオフする。それにより、スイッチ回路１０８を介して液晶用駆動回路Ａａの出力端子Ｙ２（図２２（ｍ））に画像データが出力される。そして、液晶パネル４に所定の電圧値の階調電圧４．５Ｖ（極性がマイナス「−」）が印加される。
【０１６５】
（２）時刻ｔ＝ｔ３〜ｔ５（図１７、１９左側の場合に相当）
タイミング制御回路１１５に入力されるＰＯＬ信号（図２２（ｂ））がローベル（Ｌ）のとき（時刻ｔ＝ｔ３）、ＳＴＢ信号（図２２（ａ））のハイレベルによって、スイッチ回路１０８の接点１０８１、１０８２（図２２（ｆ））、１０８３、１０８４（図２２（ｇ））がオフする。一方、接点１０８ｂ１、１０８ｂ２（（図２２に図に図示されず、図２０、２１左側参照）がオンする。
【０１６６】
このとき、二つの系統のうちの一方の系統において、スイッチ回路１０４の接点１０４１（図２２ｄ））がオフし、接点１０４３（図２２（ｅ））がオンする。それにより、データレジスタ回路１１９の保持されたローレベル（Ｌ）のデータは、ラッチ回路１２１からレベルシフト回路１１０へスイッチ回路１０４を介して転送される。デコーダ・階調電圧選択回路１１２によって階調電圧１０Ｖが選択され、オペアンプ１１４によって電流増幅される。そして、ＳＴＢ信号（図２２（ａ））がローレベルに切替わったとき（時刻ｔ＝ｔ４）、スイッチ回路１０８の接点１０８３（図２２（ｇ）がオンし、接点１０８ｂ１、１０８ｂ２がオフする。それにより、スイッチ回路１０８を介して液晶用駆動回路Ａａの出力端子Ｙ２（図２２（ｍ））に画像データが出力される。そして、液晶パネル４に所定の電圧値の階調電圧１０Ｖ（極性がマイナス「−」）が印加される。
【０１６７】
一方、二つの系統のうちの他方の系統において、スイッチ回路１０４の接点１０４２（図２２（ｄ））がオフし、接点１０４４（図２２（ｅ））がオンする。それにより、データレジスタ回路１２０の保持されたハイレベル（Ｈ）のデータは、ラッチ回路１２２からレベルシフト回路１０９へスイッチ回路１０４を介して転送される。デコーダ・階調電圧選択回路１１１によって階調電圧４．５Ｖが選択され、オペアンプ１１３によって電流増幅される。そして、ＳＴＢ信号（図２２（ａ））がローレベルに切替わったとき（時刻ｔ＝ｔ４）、スイッチ回路１０８の接点１０８４（図２２（ｇ））がオンし、接点１０８ｂ１、１０８ｂ２がオフする。それにより、スイッチ回路１０８を介して液晶用駆動回路Ａａの出力端子Ｙ２（図２２（ｍ））に画像データが出力される。そして、液晶パネル４に所定の電圧値の階調電圧４．５Ｖ（極性がプラス「＋」）が印加される。
【０１６８】
（Ｂ）２Ｈドット反転駆動方式の場合
図３のステップＳ０２において４画素×２画素の画素ブロックの入力画像データ２８の中にその階調が設定階調以上の画像データが所定の画素数以上ないと判断された場合、駆動方式が２Ｈドット反転駆動方式と決定される。その場合、ＰＯＬ＿ＳＥＬ信号＝１となり、図１６〜図２１における出力端子Ｙ３、Ｙ４側、及び、図２２における（ａ）、（ｃ）、（ｈ）〜（ｋ）、（ｎ）、（ｏ）に示される動作となる。
【０１６９】
ＬＣＤコントロール５ａから出力された極性反転切替制御信号２６（ＰＯＬ＿ＳＥＬ信号＝１）に基づいて、スイッチ回路１０４は接点１０４６によりＰＯＬ＿２信号を選択し、スイッチ回路１０８は、接点１０８６によりＰＯＬ＿２信号を選択する。
【０１７０】
時刻ｔ＝ｔ１〜ｔ５では、ＳＴＢ信号の２周期分において、ＰＯＬ＿２信号がプラス「＋」で一定となる（図１６、１７右側の場合に相当）。一方時刻ｔ＝ｔ５〜ｔ９において、ＰＯＬ＿２信号がマイナス「−」で一定となる（図１８、１９右側の場合に相当）。すなわち、ＳＴＢ信号の２周期ごとに、極性が反転する２Ｈドット反転駆動となる。
【０１７１】
各回路の動作は、タイミングが異なること（スイッチ回路１０４、１０８の各接点のタイミングチャート：（ｈ）〜（ｋ）、出力端子Ｙ３、Ｙ４のタイミングチャート：（ｎ）、（ｏ））の他は、ドット反転の場合と同様であるのでその説明を省略する。
【０１７２】
図１５のようなデータドライバ２ａを用いることは、低圧側及び高圧側の二つの系統の回路を有しているので、一つの系統の回路で液晶の閾値電圧の２倍以上の電圧に対処する場合と比較して、一系統で対処する電圧幅が小さくて済む。すなわち、画質の劣化を抑制しながら消費電力を低減できるとともに、各回路の耐圧を低く設定することが可能となる。
【０１７３】
第１の実施の形態では、複数のゲートラインごとに極性の反転駆動方法を変更している。しかし、複数のデータラインごとに極性の反転駆動方法を変更するようにすることも可能である。例えば、第３の実施の形態のデータドライバ２ａを用い、１フレーム分のラインメモリ１３を用いれば実施可能である。
【図面の簡単な説明】
【０１７４】
【図１】図１は、本発明の液晶表示装置の第１の実施の形態の構成を示すブロック図である。
【図２】図２は、本発明の液晶表示装置及び液晶表示装置の駆動方法の概念を示すグラフである。
【図３】図３は、本発明の液晶表示装置の第１及び第３の実施の形態の動作を示すフロー図である。
【図４】図４は、本発明における液晶パネルに印加される電圧極性を示す概念図である。
【図５】図５は、本発明の液晶表示装置におけるゲートドライバの詳細を示すブロック図である。
【図６】図６（ａ）〜（ｃ）は、各回路のスイッチ制御の具体例を示すブロック図である。
【図７】図７（ａ）〜（ｈ）は、図５に示す各回路のタイミングチャートである。
【図８】図８は、本発明の液晶表示装置の第２の実施の形態の構成を示すブロック図である。
【図９】図９は、本発明における液晶パネルに印加される電圧極性を示す概念図である。
【図１０】図１０は、反転記録位置記憶メモリの構成を示すブロック図である。
【図１１】図１１は、データ線駆動回路の構成を示すブロック図である。
【図１２】図１２（ａ）〜（ｄ）は、図８に示す各回路のタイミングチャートである。
【図１３】図１３は、本発明の液晶表示装置の第３の実施の形態の構成を示すブロック図である。
【図１４】図１４は、本発明における液晶パネルに印加される電圧極性を示す概念図である。
【図１５】図１５は、本発明の液晶表示装置におけるゲートドライバの詳細を示すブロック図である。
【図１６】図１６は、各回路のスイッチ制御の具体例を示すブロック図である。
【図１７】図１７は、各回路のスイッチ制御の具体例を示すブロック図である。
【図１８】図１８は、各回路のスイッチ制御の具体例を示すブロック図である。
【図１９】図１９は、各回路のスイッチ制御の具体例を示すブロック図である。
【図２０】図２０は、各回路のスイッチ制御の具体例を示すブロック図である。
【図２１】図２１は、各回路のスイッチ制御の具体例を示すブロック図である。
【図２２】図２２（ａ）〜（ｏ）は、図１３に示す各回路のタイミングチャートである。
【符号の説明】
【０１７５】
１、１ａ、３０    液晶表示装置
２、２ａ、２ｂ    データドライバ
３    ゲートドライバ
３ｂ    ゲート線駆動回路
４    液晶パネル
４ｂ    表示部
５、５ａ、５ｂ    ＬＣＤコントローラ
６    基準階調電圧発生部
７    画像描画部
８    コントロールドライバ
１１    画像判定部
１２    方式決定部
１３    ラインメモリ
２１    画像データ
２２    データ側制御信号
２３    ゲート側制御信号
２４    基準階調電圧
２５    第２極性反転信号（ＰＯＬ＿２）
２６    極性反転切替制御信号（ＰＯＬ＿ＳＥＬ）
２８、２８−１    入力画像データ
２９    表示制御信号
２９−１    メモリ制御信号
２９−２、    ＰＯＬ＿ＳＥＬ信号
２８−３、２９−８    極性反転制御信号
２９−４    読み出し信号
２９−５    表示用メモリ制御信号
２９−６    ＳＴＢ信号
２９−７    タイミング制御信号
２９−９    ゲート線制御信号
２９−１０    共通電圧
３５ｂ    メモリ
３５ｃ    書き込み信号
３１    表示用メモリ
３２    
３３    データ線駆動回路
３４    
３５    反転切替位置記憶メモリ
３６    メモリ制御回路
３７    タイミング制御回路
３８    Ｖｃｏｍ制御回路
３９    画像描画部
１０１、２０１    シフトレジスタ回路
１０２、２０２    データレジスタ回路
１０３、２０３    ラッチ回路
１０４、１０８、２０４、２０８    スイッチ回路
１０５、２０５    レベルシフト回路
１０６、２０６    デコーダ・階調電圧選択回路
１０７、２０７    演算増幅器（オペアンプ）
１０８ｂ、２０８ａ    共通端子スイッチ
１０９、２０９    （高圧側）レベルシフト回路
１１０、２１０    （低圧側）レベルシフト回路
１１１、２１１    高圧側デコーダ・階調電圧選択回路
１１２、２１２    低圧側デコーダ・階調電圧選択回路
１１３、２１３    高圧側オペアンプ
１１４、２１４    低圧側オペアンプ
１１７、２１７    高圧側階調電圧発生回路
１１８、２１８    低圧側階調電圧発生回路
１１９、１２０、２１９、２２０    データレジスタ回路
１２１、１２２、２２１、２２２    ラッチ回路
【図１】
2006126475.tif 000003
【図２】
2006126475.tif 000004
【図３】
2006126475.tif 000005
【図４】
2006126475.tif 000006
【図５】
2006126475.tif 000007
【図６】
2006126475.tif 000008
【図７】
2006126475.tif 000009
【図８】
2006126475.tif 000010
【図９】
2006126475.tif 000011
【図１０】
2006126475.tif 000012
【図１１】
2006126475.tif 000013
【図１２】
2006126475.tif 000014
【図１３】
2006126475.tif 000015
【図１４】
2006126475.tif 000016
【図１５】
2006126475.tif 000017
【図１６】
2006126475.tif 000018
【図１７】
2006126475.tif 000019
【図１８】
2006126475.tif 000020
【図１９】
2006126475.tif 000021
【図２０】
2006126475.tif 000022
【図２１】
2006126475.tif 000023
【図２２】
2006126475.tif 000024